(57)【要約】  参照信号送信方法及び装置並びに参照信号受信方法及び装置が提供される。その方法は、ネットワークデバイスによって、第1の参照信号の第1の構成及び第2の参照信号の第2の構成を決定するステップであって、第1の構成は、第1のサブキャリア間隔を含み、第2の構成は、第2のサブキャリア間隔を含む、ステップと、ネットワークデバイスによって、第1のサブバンドにおいて、第1の構成を満足する第1の参照信号を送信し、そして、第2のサブバンドにおいて、第2の構成を満足する第2の参照信号を送信するステップと、を含み、第1のサブバンドのパラメータ構成は、第2のサブバンドのパラメータ構成とは異なる。
2020507947.tif 000002
【特許請求の範囲】
【請求項１】
参照信号送信方法であって、
ネットワークデバイスによって、第1の参照信号の第1の構成及び第2の参照信号の第2の構成を決定するステップであって、前記第1の構成は、第1のサブキャリア間隔を含み、前記第2の構成は、第2のサブキャリア間隔を含む、ステップと、
前記ネットワークデバイスによって、第1のサブバンドにおいて、前記第1の構成を満足する前記第1の参照信号を送信し、そして、第2のサブバンドにおいて、前記第2の構成を満足する前記第2の参照信号を送信するステップと、を含み、
前記第1のサブバンドのパラメータ構成は、前記第2のサブバンドのパラメータ構成とは異なる、
方法。
【請求項２】
前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む、請求項1に記載の方法。
【請求項３】
前記ネットワークデバイスが、前記第1のサブキャリア間隔及び前記第2のサブキャリア間隔を決定することは、
前記ネットワークデバイスによって、前記第1のサブバンドのサブキャリア間隔に基づいて、前記第1のサブキャリア間隔及び前記第2のサブキャリア間隔を決定するステップ、又は、
前記ネットワークデバイスによって、前記第1のサブバンドのサブキャリア間隔に基づいて、前記第1のサブキャリア間隔を決定し、そして、前記ネットワークデバイスによって、前記第2のサブバンドのサブキャリア間隔に基づいて、前記第2のサブキャリア間隔を決定するステップ、を含む、請求項1又は2に記載の方法。
【請求項４】
前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す、請求項1乃至3のうちのいずれか1項に記載の方法。
【請求項５】
前記ネットワークデバイスが前記第1のパターンを決定することは、
前記ネットワークデバイスによって、前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択するステップを含む、請求項4に記載の方法。
【請求項６】
前記第1のパターンは、ゼロ電力リソースエレメントRE及び非ゼロ電力REのうちの1つ又は複数を含む、請求項4又は5に記載の方法。
【請求項７】
当該方法は、
前記ネットワークデバイスによって、第1のスイッチ識別子を送信するステップをさらに含み、前記第1のスイッチ識別子は、端末が、前記第1のサブバンドにおいて前記第1の参照信号を受信するか否かを示すのに使用される、請求項1乃至6のうちのいずれか1項に記載の方法。
【請求項８】
前記第1の構成は、前記第1の参照信号の送信期間をさらに含み、前記第2の構成は、前記第2の参照信号の送信期間をさらに含む、請求項1乃至7のうちのいずれか1項に記載の方法。
【請求項９】
参照信号受信方法であって、
端末によって、第1のサブバンドにおいて、第1の構成を満足する第1の参照信号を受信し、そして、第2のサブバンドにおいて、第2の構成を満足する第2の参照信号を受信するステップであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、ステップと、
前記端末によって、前記第1の参照信号及び前記第2の参照信号に基づいて、チャネル品質を個別にフィードバックするステップと、を含む、
方法。
【請求項１０】
前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む、請求項9に記載の方法。
【請求項１１】
前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される、請求項9又は10に記載の方法。
【請求項１２】
前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す、請求項9乃至11のうちのいずれか1項に記載の方法。
【請求項１３】
前記第1のパターンは、ゼロ電力リソースエレメントRE及び非ゼロ電力REのうちの1つ又は複数を含む、請求項12に記載の方法。
【請求項１４】
当該方法は、
前記ネットワークデバイスが送信した第1のスイッチ識別子を前記端末によって受信するステップと、
前記端末によって、前記第1のスイッチ識別子に基づいて、前記第1のサブバンドにおいて前記第1の参照信号を受信するべきであるか否かを決定するステップと、をさらに含む、請求項9乃至13のうちのいずれか1項に記載の方法。
【請求項１５】
前記第1の構成は、前記第1の参照信号の送信期間をさらに含み、前記第2の構成は、前記第2の参照信号の送信期間をさらに含む、請求項9乃至14のうちのいずれか1項に記載の方法。
【請求項１６】
参照信号送信装置であって、
第1の参照信号の第1の構成及び第2の参照信号の第2の構成を決定するように構成される処理ユニットであって、前記第1の構成は、第1のサブキャリア間隔を含み、前記第2の構成は、第2のサブキャリア間隔を含む、処理ユニットと、
第1のサブバンドにおいて、前記第1の構成を満足する前記第1の参照信号を送信し、そして、第2のサブバンドにおいて、前記第2の構成を満足する前記第2の参照信号を送信する、ように構成されるトランシーバーユニットと、を含み、
前記第1のサブバンドのパラメータ構成は、前記第2のサブバンドのパラメータ構成とは異なる、
装置。
【請求項１７】
前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む、請求項16に記載の装置。
【請求項１８】
前記処理ユニットは、特に、
前記第1のサブバンドのサブキャリア間隔に基づいて、前記第1のサブキャリア間隔及び前記第2のサブキャリア間隔を決定するように構成されるか、又は、
前記第1のサブバンドのサブキャリア間隔に基づいて、前記第1のサブキャリア間隔を決定し、そして、前記第2のサブバンドのサブキャリア間隔に基づいて、前記第2のサブキャリア間隔を決定する、ように構成される、請求項16又は17に記載の装置。
【請求項１９】
前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す、請求項16乃至18のうちのいずれか1項に記載の装置。
【請求項２０】
前記処理ユニットは、特に、
前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択する、ように構成される、請求項19に記載の装置。
【請求項２１】
前記第1のパターンは、ゼロ電力リソースエレメントRE及び非ゼロ電力REのうちの1つ又は複数を含む、請求項19又は20に記載の装置。
【請求項２２】
前記トランシーバーユニットは、さらに、
第1のスイッチ識別子を送信するように構成され、前記第1のスイッチ識別子は、端末が、前記第1のサブバンドにおいて前記第1の参照信号を受信するか否かを示すのに使用される、請求項19乃至21のうちのいずれか1項に記載の装置。
【請求項２３】
前記第1の構成は、前記第1の参照信号の送信期間をさらに含み、前記第2の構成は、前記第2の参照信号の送信期間をさらに含む、請求項19乃至22のうちのいずれか1項に記載の装置。
【請求項２４】
参照信号受信装置であって、
第1のサブバンドにおいて、第1の構成を満足する第1の参照信号を受信し、そして、第2のサブバンドにおいて、第2の構成を満足する第2の参照信号を受信する、ように構成されるトランシーバーユニットであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、トランシーバーユニットと、
前記第1の参照信号及び前記第2の参照信号に基づいて、チャネル品質を個別にフィードバックするように構成される処理ユニットと、を含む、
装置。
【請求項２５】
前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む、請求項24に記載の装置。
【請求項２６】
前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される、請求項24又は25に記載の装置。
【請求項２７】
前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す、請求項24乃至26のうちのいずれか1項に記載の装置。
【請求項２８】
前記第1のパターンは、ゼロ電力リソースエレメントRE及び非ゼロ電力REのうちの1つ又は複数を含む、請求項27に記載の装置。
【請求項２９】
前記トランシーバーユニットは、さらに、
前記ネットワークデバイスが送信した第1のスイッチ識別子を受信し、そして、
前記第1のスイッチ識別子に基づいて、前記第1のサブバンドにおいて前記第1の参照信号を受信するべきであるか否かを決定する、ように構成される、請求項24乃至28のうちのいずれか1項に記載の装置。
【請求項３０】
前記第1の構成は、前記第1の参照信号の送信期間をさらに含み、前記第2の構成は、前記第2の参照信号の送信期間をさらに含む、請求項24乃至29のうちのいずれか1項に記載の装置。
【発明の詳細な説明】
【技術分野】
【０００１】
[関連出願の相互参照]
この出願は、2017年1月6日付で中国国家知的財産局に出願された"参照信号送信方法及び装置並びに参照信号受信方法及び装置"と題する中国特許出願第201710011309.4号に基づく優先権を主張し、その特許出願の内容は、それらの全体が参照により本明細書に組み込まれる。
【０００２】
[技術分野]
この出願は、通信技術の分野に関し、特に、参照信号送信方法及び装置並びに参照信号受信方法及び装置に関する。
【背景技術】
【０００３】
現在の無線通信システムにおいては、ネットワークデバイスと端末との間のデータ伝送の間に、一方の側はチャネル状態情報を知らないため、その一方の側は、他方の側に、チャネル状態情報を測定するための参照信号を送信し、その次に、フィードバックに基づいてチャネル状態品質を取得する。例えば、ロングタームエボリューション(Long  Term  Evolution,  LTE)システムにおいては、ネットワークデバイスは、セル特有参照信号(Cell  Reference  Signal,  CRS)又はチャネル状態情報参照信号(Channel  State  Information  Reference  Signal,  CSI-RS)等の参照信号を送信し、端末は、サウンディング参照信号(Sounding  Reference  Signal,  SRS)等の参照信号を送信する。端末は、検出されたCRS又はCSI-RSに基づいてCSIを決定して、チャネル品質をフィードバックしてもよい。同様に、ネットワークデバイスは、SRSに基づいて、アップリンクタイミング(timing)を推定してもよく、そして、ダウンリンクチャネル及びアップリンクチャネルが相互関係を表す場合には、チャネル対称性を使用して、ダウンリンクチャネル品質を推定してもよい。
【０００４】
従来技術においては、固定されているとともに一意のサブキャリア間隔が、参照信号を送信するための時間周波数リソースによって使用される。固定されているサブキャリア間隔及び参照信号パターンに基づいて、その参照信号を送信する必要があるにすぎない。一方で、例えば、新たな無線(New  Radio,  NR)システム等の次世代無線通信システムにおいては、そのシステムは、例えば、15[kHz]、30[kHz]、60[kHz]、及び120[kHz]等の複数のサブキャリア間隔をサポートする。1つの周波数は、複数のサブキャリア間隔をサポートすることが可能であり、1つのチャネルは、複数のサブキャリア間隔をサポートすることが可能であり、そして、1つのUEは、複数のサブキャリア間隔をサポートすることが可能である。ネットワーク側は、システム帯域幅の中の複数の異なるサブキャリア間隔に対応する帯域幅の位置を動的に又は準静的に構成してもよい。リソースが動的に変化し、且つ、ユーザが複数のサブキャリア間隔をサポートするときに、従来の方式での信号の測定及び信号の送信は、要件を満たすことが困難であり、参照信号は、その参照信号とは異なるサブキャリア間隔を有するサブバンドにおいて送信される必要がある。
【０００５】
結論として、複数のサブキャリア間隔がシステム帯域幅の中で使用され、且つ、そのシステム帯域幅の中のサブキャリア間隔に対応するサブバンドの位置が動的に変化するときに、ネットワークデバイスがどのようにして参照信号を送信するかは、現時点で解決されるべき緊急の課題となっている。
【発明の概要】
【０００６】
この出願の複数の実施形態は、システム帯域幅において複数のサブキャリア間隔を使用し、且つ、そのシステム帯域幅の中のサブキャリア間隔に対応するサブバンドの位置が動的に変化するときに、端末に参照信号を送信するための参照信号送信方法及び装置並びに参照信号受信方法及び装置を提供する。
【０００７】
第1の態様によれば、参照信号送信方法であって、
ネットワークデバイスによって、第1の参照信号の第1の構成及び第2の参照信号の第2の構成を決定するステップであって、前記第1の構成は、第1のサブキャリア間隔を含み、前記第2の構成は、第2のサブキャリア間隔を含む、ステップと、
前記ネットワークデバイスによって、第1のサブバンドにおいて、前記第1の構成を満足する前記第1の参照信号を送信し、そして、第2のサブバンドにおいて、前記第2の構成を満足する前記第2の参照信号を送信するステップと、を含み、
前記第1のサブバンドのパラメータ構成は、前記第2のサブバンドのパラメータ構成とは異なる、
参照信号送信方法が提供される。
【０００８】
上記の方法によれば、ネットワークデバイスは、第1のサブバンドにおいて、第1の構成を満足する第1の参照信号を送信し、第2のサブバンドにおいて、第2の構成を満足する第2の参照信号を送信する。第1のサブバンドのパラメータ構成は、第2のサブバンドのパラメータ構成と異なるため、その方法は、システム帯域幅において複数のサブキャリア間隔を使用するとともに、そのシステム帯域幅の中のサブキャリア間隔に対応するサブバンドの位置が動的に変化するシナリオに適用可能であり、それによって、参照信号の送信効率を改善する。
【０００９】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００１０】
選択的に、前記ネットワークデバイスが、前記第1のサブキャリア間隔及び前記第2のサブキャリア間隔を決定することは、
前記ネットワークデバイスによって、前記第1のサブバンドのサブキャリア間隔に基づいて、前記第1のサブキャリア間隔及び前記第2のサブキャリア間隔を決定するステップ、又は、
前記ネットワークデバイスによって、前記第1のサブバンドのサブキャリア間隔に基づいて、前記第1のサブキャリア間隔を決定し、そして、前記ネットワークデバイスによって、前記第2のサブバンドのサブキャリア間隔に基づいて、前記第2のサブキャリア間隔を決定するステップ、を含む。
【００１１】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００１２】
選択的に、前記ネットワークデバイスが前記第1のパターンを決定することは、
前記ネットワークデバイスによって、前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択するステップを含む。
【００１３】
選択的に、前記第1のパターンは、ゼロ電力リソースエレメントRE及び非ゼロ電力REのうちの1つ又は複数を含む。
【００１４】
選択的に、当該方法は、
前記ネットワークデバイスによって、第1のスイッチ識別子を送信するステップをさらに含み、前記第1のスイッチ識別子は、端末が、前記第1のサブバンドにおいて前記第1の参照信号を受信するか否かを示すのに使用される。
【００１５】
選択的に、前記第1の構成は、前記第1の参照信号の送信期間をさらに含み、前記第2の構成は、前記第2の参照信号の送信期間をさらに含む。
【００１６】
選択的に、前記第1の構成は、1つの送信期間における前記第1の参照信号のオフセットをさらに含み、前記第2の構成は、1つの送信期間における前記第2の参照信号のオフセットをさらに含む。
【００１７】
選択的に、前記第1の構成は、
前記第1のサブキャリア間隔、及び、
前記第1のサブバンドにおいて前記第1の参照信号が占有する帯域幅、
のうちの1つ又は複数の項目をさらに含む。
【００１８】
選択的に、周波数分割多重化FDMが、周波数領域において前記第1のサブバンド及び前記第2のサブバンドに対して実行されるか、又は、
時分割多重化TDMが、時間領域において前記第1のサブバンド及び前記第2のサブバンドに対して実行されるか、又は、
FDMが、周波数領域において前記第1のサブバンド及び前記第2のサブバンドに対して実行され、且つ、TDMが、時間領域において前記第1のサブバンド及び前記第2のサブバンドに対して実行される。
【００１９】
選択的に、第1の参照信号及び第2の参照信号の双方は、チャネル状態情報参照信号である。
【００２０】
第2の態様によれば、参照信号受信方法であって、
端末によって、第1のサブバンドにおいて、第1の構成を満足する第1の参照信号を受信し、そして、第2のサブバンドにおいて、第2の構成を満足する第2の参照信号を受信するステップであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、ステップと、
前記端末によって、前記第1の参照信号及び前記第2の参照信号に基づいて、チャネル品質を個別にフィードバックするステップと、を含む、
参照信号受信方法が提供される。
【００２１】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００２２】
選択的に、前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される。
【００２３】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００２４】
選択的に、前記第1のパターンは、ゼロ電力リソースエレメントRE及び非ゼロ電力REのうちの1つ又は複数を含む。
【００２５】
選択的に、当該方法は、
前記ネットワークデバイスが送信した第1のスイッチ識別子を前記端末によって受信するステップと、
前記端末によって、前記第1のスイッチ識別子に基づいて、前記第1のサブバンドにおいて前記第1の参照信号を受信するべきであるか否かを決定するステップと、をさらに含む。
【００２６】
選択的に、前記第1の構成は、前記第1の参照信号の送信期間をさらに含み、前記第2の構成は、前記第2の参照信号の送信期間をさらに含む。
【００２７】
選択的に、前記第1の構成は、1つの送信期間における前記第1の参照信号のオフセットをさらに含み、前記第2の構成は、1つの送信期間における前記第2の参照信号のオフセットをさらに含む。
【００２８】
参照信号送信装置であって、
第1の参照信号の第1の構成及び第2の参照信号の第2の構成を決定するように構成される処理ユニットであって、前記第1の構成は、第1のサブキャリア間隔を含み、前記第2の構成は、第2のサブキャリア間隔を含む、処理ユニットと、
第1のサブバンドにおいて、前記第1の構成を満足する前記第1の参照信号を送信し、そして、第2のサブバンドにおいて、前記第2の構成を満足する前記第2の参照信号を送信する、ように構成されるトランシーバーユニットと、を含み、
前記第1のサブバンドのパラメータ構成は、前記第2のサブバンドのパラメータ構成とは異なる、
参照信号送信装置が提供される。
【００２９】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００３０】
選択的に、前記処理ユニットは、特に、
前記第1のサブバンドのサブキャリア間隔に基づいて、前記第1のサブキャリア間隔及び前記第2のサブキャリア間隔を決定するように構成されるか、又は、
前記第1のサブバンドのサブキャリア間隔に基づいて、前記第1のサブキャリア間隔を決定し、そして、前記第2のサブバンドのサブキャリア間隔に基づいて、前記第2のサブキャリア間隔を決定する、ように構成される。
【００３１】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００３２】
選択的に、前記処理ユニットは、特に、
前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択する、ように構成される。
【００３３】
選択的に、前記第1のパターンは、ゼロ電力リソースエレメントRE及び非ゼロ電力REのうちの1つ又は複数を含む。
【００３４】
選択的に、前記トランシーバーユニットは、さらに、
第1のスイッチ識別子を送信するように構成され、前記第1のスイッチ識別子は、端末が、前記第1のサブバンドにおいて前記第1の参照信号を受信するか否かを示すのに使用される。
【００３５】
選択的に、前記第1の構成は、前記第1の参照信号の送信期間をさらに含み、前記第2の構成は、前記第2の参照信号の送信期間をさらに含む。
【００３６】
参照信号受信装置であって、
第1のサブバンドにおいて、第1の構成を満足する第1の参照信号を受信し、そして、第2のサブバンドにおいて、第2の構成を満足する第2の参照信号を受信する、ように構成されるトランシーバーユニットであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、トランシーバーユニットと、
前記第1の参照信号及び前記第2の参照信号に基づいて、チャネル品質を個別にフィードバックするように構成される処理ユニットと、を含む、
参照信号受信装置が提供される。
【００３７】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００３８】
選択的に、前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される。
【００３９】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００４０】
選択的に、前記第1のパターンは、ゼロ電力リソースエレメントRE及び非ゼロ電力REのうちの1つ又は複数を含む。
【００４１】
選択的に、前記トランシーバーユニットは、さらに、
前記ネットワークデバイスが送信した第1のスイッチ識別子を受信し、そして、
前記第1のスイッチ識別子に基づいて、前記第1のサブバンドにおいて前記第1の参照信号を受信するべきであるか否かを決定する、ように構成される。
【００４２】
選択的に、前記第1の構成は、前記第1の参照信号の送信期間をさらに含み、前記第2の構成は、前記第2の参照信号の送信期間をさらに含む。
【００４３】
参照信号送信装置であって、
第1の参照信号の第1の構成及び第2の参照信号の第2の構成を決定するように構成されるプロセッサであって、前記第1の構成は、第1のサブキャリア間隔を含み、前記第2の構成は、第2のサブキャリア間隔を含む、プロセッサと、
第1のサブバンドにおいて、前記第1の構成を満足する前記第1の参照信号を送信し、そして、第2のサブバンドにおいて、前記第2の構成を満足する前記第2の参照信号を送信する、ように構成されるトランシーバーと、を含み、
前記第1のサブバンドのパラメータ構成は、前記第2のサブバンドのパラメータ構成とは異なる、
参照信号送信装置が提供される。
【００４４】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００４５】
選択的に、前記プロセッサは、特に、
前記第1のサブバンドのサブキャリア間隔に基づいて、前記第1のサブキャリア間隔及び前記第2のサブキャリア間隔を決定するように構成されるか、又は、
前記第1のサブバンドのサブキャリア間隔に基づいて、前記第1のサブキャリア間隔を決定し、そして、前記第2のサブバンドのサブキャリア間隔に基づいて、前記第2のサブキャリア間隔を決定する、ように構成される。
【００４６】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００４７】
選択的に、前記プロセッサは、特に、
前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択する、ように構成される。
【００４８】
選択的に、前記第1のパターンは、ゼロ電力リソースエレメントRE及び非ゼロ電力REのうちの1つ又は複数を含む。
【００４９】
選択的に、前記トランシーバーは、さらに、
第1のスイッチ識別子を送信するように構成され、前記第1のスイッチ識別子は、端末が、前記第1のサブバンドにおいて前記第1の参照信号を受信するか否かを示すのに使用される。
【００５０】
選択的に、前記第1の構成は、前記第1の参照信号の送信期間をさらに含み、前記第2の構成は、前記第2の参照信号の送信期間をさらに含む。
【００５１】
参照信号受信装置であって、
第1のサブバンドにおいて、第1の構成を満足する第1の参照信号を受信し、そして、第2のサブバンドにおいて、第2の構成を満足する第2の参照信号を受信する、ように構成されるトランシーバーであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、トランシーバーと、
前記第1の参照信号及び前記第2の参照信号に基づいて、チャネル品質を個別にフィードバックするように構成されるプロセッサと、を含む、
参照信号受信装置が提供される。
【００５２】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００５３】
選択的に、前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される。
【００５４】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００５５】
選択的に、前記第1のパターンは、ゼロ電力リソースエレメントRE及び非ゼロ電力REのうちの1つ又は複数を含む。
【００５６】
選択的に、前記トランシーバーは、さらに、
前記ネットワークデバイスが送信した第1のスイッチ識別子を受信し、そして、
前記第1のスイッチ識別子に基づいて、前記第1のサブバンドにおいて前記第1の参照信号を受信するべきであるか否かを決定する、ように構成される。
【００５７】
選択的に、前記第1の構成は、前記第1の参照信号の送信期間をさらに含み、前記第2の構成は、前記第2の参照信号の送信期間をさらに含む。
【図面の簡単な説明】
【００５８】
【図１】この出願の実施形態に適用可能なネットワークアーキテクチャの概略的な図である。
【図２】この出願のある1つの実施形態にしたがった参照信号送信方法の概略的なフローチャートである。
【図３】この出願のある1つの実施形態にしたがった参照信号の概略的な図である。
【図４】この出願のある1つの実施形態にしたがった参照信号送信期間の概略的な図である。
【図５】この出願のある1つの実施形態にしたがった参照信号送信期間の概略的な図である。
【図６】この出願のある1つの実施形態にしたがった参照信号の概略的な図である。
【図７（ａ）】この出願のある1つの実施形態にしたがったパターンの概略的な図である。
【図７（ｂ）】この出願のある1つの実施形態にしたがったパターンの概略的な図である。
【図７（ｃ）】この出願のある1つの実施形態にしたがったパターンの概略的な図である。
【図７（ｄ）】この出願のある1つの実施形態にしたがったパターンの概略的な図である。
【図８（ａ）】この出願のある1つの実施形態にしたがったパターンの概略的な図である。
【図８（ｂ）】この出願のある1つの実施形態にしたがったパターンの概略的な図である。
【図８（ｃ）】この出願のある1つの実施形態にしたがったパターンの概略的な図である。
【図８（ｄ）】この出願のある1つの実施形態にしたがったパターンの概略的な図である。
【図９】この出願のある1つの実施形態にしたがった参照信号送信方法の概略的なフローチャートである。
【図１０】この出願のある1つの実施形態にしたがった参照信号送信装置の概略的な構成図である。
【図１１】この出願のある1つの実施形態にしたがったネットワークデバイスの概略的な構成図である。
【図１２】この出願のある1つの実施形態にしたがった参照信号送信装置の概略的な構成図である。
【図１３】この出願のある1つの実施形態にしたがった端末の概略的な構成図である。
【発明を実施するための形態】
【００５９】
NRシステム、汎欧州ディジタル移動体通信システム(Global  System  for  Mobile  Communications,  GSM)、符号分割多元接続(Code  Division  Multiple  Access,  CDMA)システム、広帯域符号分割多元接続(Wideband  Code  Division  Multiple  Access,  WCDMA)システム、汎用パケット無線サービス(General  Packet  Radio  Service,  GPRS)システム、ロングタームエボリューション(Long  Term  Evolution,  LTE)システム、ロングタームエボリューションアドバンスト(Long  Term  Evolution  Advanced,  LTE-A)システム、ユニバーサル移動体通信システム(Universal  Mobile  Telecommunications  System,  UMTS)、進化型ロングタームエボリューション(evolved  Long  Term  Evolution,  eLTE)システム、5Gシステム、及び他の移動体通信システム等のさまざまな移動体通信システムに、この出願の複数の実施形態を適用してもよい。
【００６０】
図1は、この出願の実施形態に適用可能なネットワークアーキテクチャの概略的な図である。図1は、ネットワークデバイス及び端末を含んでいる。
【００６１】
以下の記載において、この出願の用語のうちのいくつかを説明して、当業者によるより良い理解を支援する。
【００６２】
(1)  端末:  ユーザ機器(User  Equipment,  UE)とも称され、例えば、無線接続機能を有するハンドヘルドデバイス又は車載型デバイス等のユーザに音声接続性及び/又はデータ接続性を提供するデバイスである。例えば、一般的な端末は、携帯電話、タブレットコンピュータ、ノートブックコンピュータ、パームトップコンピュータ、モバイルインターネットデバイス(mobile  Internet  device,  MID)、及び、スマート時計、スマートバンド、又は歩数計等のウェアラブルデバイスを含む。
【００６３】
(2)  ネットワークデバイス:  アクセスネットワークの中で無線インターフェイスによって1つ又は複数のセクタを介して端末と通信するデバイスである。基地局デバイスは、さらに、無線インターフェイスの属性管理を調整してもよい。ネットワークデバイスは、NR  gNB(gNodeB)、(NodeB又はeNB等の)一般的な基地局、新たな無線コントローラ(New  Radio  controller,  NR  controller)、集中化されたネットワーク要素(Centralized  Unit)、新たな無線基地局、リモート無線モジュール、ミクロ基地局、中継器(relay)、分散型ネットワーク要素(Distributed  Unit)、送信受信点(Transmission  Reception  Point,  TRP)、送信点(Transmission  Point,  TP)、又はいずれかの他の無線アクセスデバイスであってもよい。しかしながら、この出願のそれらの複数の実施態様は、これらには限定されない。
【００６４】
(3)  サブキャリア間隔:  周波数領域における基本単位である。例えば、LTEシステムにおいては、サブキャリア間隔は、15[kHz]である。
【００６５】
(4)  シンボル:  これらには限定されないが、直交周波数分割多重化(Orthogonal  Frequency  Division  Multiplexing,  OFDM)シンボル、散在符号多元接続(Sparse  Code  Multiple  Access,  SCMA)シンボル、フィルタリング直交周波数分割多重化(Filtered  Orthogonal  Frequency  Division  Multiplexing,  F-OFDM)シンボル、及び非直交多元接続(Non-Orthogonal  Multiple  Access,  NOMA)シンボルを含む。そのシンボルは、具体的には、実際の状況に基づいて決定されてもよく、本明細書においては、詳細は説明されない。
【００６６】
上記の説明を参照すると、図2は、この出願のある1つの実施形態にしたがった参照信号送信方法の概略的なフローチャートである。
【００６７】
図2を参照すると、その方法は、以下のステップを含む。
【００６８】
ステップ201:  ネットワークデバイスは、第1の参照信号の第1の構成及び第2の参照信号の第2の構成を決定し、第1の構成は、第1のサブキャリア間隔を含み、第2の構成は、第2のサブキャリア間隔を含む。
【００６９】
ステップ202:  ネットワークデバイスは、第1のサブバンドにおいて、第1の構成を満足する第1の参照信号を送信し、そして、第2のサブバンドにおいて、第2の構成を満足する第2の参照信号を送信し、第1のサブバンドのパラメータ構成は、第2のサブバンドのパラメータ構成とは異なる。
【００７０】
第1のサブキャリアは、第1のサブバンドのサブキャリア間隔と同じであってもよく、又は、異なっていてもよいということに留意すべきである。このサブキャリア間隔は、具体的には、実際の状況に基づいて決定される。第2のサブキャリアは、第2のサブバンドのサブキャリア間隔と同じであってもよく、又は、異なっていてもよい。
【００７１】
ステップ203:  端末は、第1のサブバンドにおいて、第1の構成を満足する第1の参照信号を受信し、そして、第2のサブバンドにおいて、第2の構成を満足する第2の参照信号を受信し、第1の構成は、第1のサブキャリア間隔を含み、第2の構成は、第2のサブキャリア間隔を含み、第1のサブバンドのパラメータ構成は、第2のサブバンドのパラメータ構成とは異なる。
【００７２】
ステップ204:  端末は、第1の参照信号及び第2の参照信号に基づいて、チャネル品質を個別にフィードバックし、そのチャネル品質は、例えば、プリコーディング行列指標PMI、チャネル品質指標、ランク指標RI、又は、参照信号受信電力RSRPである。
【００７３】
ステップ201において、第1の参照信号のタイプは、第2の参照信号のタイプと同じであってもよく、又は、異なっていてもよい。第1の参照信号のタイプが第2の参照信号のタイプと同じであるときに、第1の参照信号及び第2の参照信号の双方は、チャネル状態情報参照信号であってもよく、或いは、第1の参照信号及び第2の参照信号の双方は、チャネル状態情報参照信号又はセル特有参照信号と同様の参照信号であってもよい。
【００７４】
この出願のこの実施形態においては、第1の構成は、
第1の参照信号の送信期間、
1つの送信期間における第1の参照信号のオフセット、
第1の参照信号の第1のパターン、又は、第1の参照信号の時間周波数位置及び周波数領域位置、具体的には、スケジューリングされているリソースブロックの中の第1の参照信号の時間領域におけるシンボルインデックス及び周波数領域におけるキャリアインデックスであって、その第1のパターンは、固定されている時間周波数リソースにおける第1の参照信号の時間領域位置及び周波数領域位置を指し、その第1のパターンは、ゼロ電力リソースエレメント(Resource  Element,  RE)及び非ゼロ電力REのうちの1つ又は複数を含んでもよく、ゼロ電力REは、複数の異なるサブキャリアの間のガードバンドとして使用されてもよく、又は、電力バーストのために使用されて、参照信号の送信電力を改善してもよい、第1の参照信号の第1のパターン、
第1のサブキャリア間隔、
第1のサブバンドにおいて第1の参照信号が占有する帯域幅、及び、
第1のスイッチ識別子であって、その第1のスイッチ識別子は、端末が、前記第1のサブバンドにおいて第1の参照信号を受信するか否かを示すのに使用される、第1のスイッチ識別子、
のうちの1つ又は複数の項目をさらに含んでもよい。第1のスイッチ識別子が、端末が第1のサブバンドにおいて第1の参照信号を受信するということを示すときに、ネットワークデバイスが第1の参照信号を周期的に送信するか、又は、トリガ方式で第1の参照信号を送信するということが端末に示されてもよい。第1の参照信号の周期的な送信は、ネットワークデバイスが、スイッチがオフになるまで、周期及びオフセットに基づいて、第1の参照信号を継続して送信するということを意味し、起動及びトリガ方式による第1の参照信号の送信は、ネットワークデバイスが、各々のトリガにおいて第1の参照信号を1回のみ送信するということを意味する。
【００７５】
対応して、第2の構成は、
第2の参照信号の送信期間、
1つの送信期間における第2の参照信号のオフセット、
第2の参照信号の第2のパターン、又は、第2の参照信号の時間周波数位置及び周波数領域位置、具体的には、第2の参照信号の時間領域におけるシンボルインデックス及び周波数領域におけるキャリアインデックスであって、その第2のパターンは、固定されている時間周波数リソースにおける第2の参照信号の時間領域位置及び周波数領域位置を指す、第2の参照信号の第2のパターン、
第2のサブキャリア間隔、
第2のサブバンドにおいて第2の参照信号が占有する帯域幅、及び、
第2のスイッチ識別子であって、その第2のスイッチ識別子は、端末が、第2のサブバンドにおいて第2の参照信号を受信するか否かを示すのに使用される、第2のスイッチ識別子、
のうちの1つ又は複数の項目をさらに含んでもよい。
【００７６】
この出願のこの実施形態においては、第1の参照信号の第1のパターン及び第2の参照信号の第2のパターンは、個別に構成されてもよく、又は、同じパターンとして構成されてもよいということに留意すべきである。本明細書における個別の構成は、複数の異なるリソース部分において制御信号と参照信号とを区別するために、複数の異なるリソース部分によって送信される参照信号のために、複数の異なるシンボルインデックス及び複数の周波数領域密度を使用することが可能であるということを意味する。
【００７７】
リソース部分は、1つのサブバンドのうちの一部のリソースであってもよく、1つのサブバンドのリソースであってもよく、又は、複数のサブバンドを含むリソースであってもよいということに留意すべきである。
【００７８】
上記の説明を参照すると、第1の参照信号の送信期間は、第2の参照信号の送信期間と同じであってもよく、又は、異なっていてもよい。このことは、この出願のこの実施態様においては限定されない。対応して、1つの送信期間における第1の参照信号のオフセットは、1つの送信期間における第2の参照信号のオフセットと同じであってもよく、又は、異なっていてもよい。1つの送信期間における第1の参照信号のオフセットは、1つの送信期間における第1の参照信号の時間領域位置とその送信期間の開始時点との間のオフセットであってもよい。例えば、1つの送信期間は、10個のスロットを含む。第1の参照信号が6番目のスロットで送信される場合に、1つの送信期間における第1の参照信号のオフセットは、5個のスロットとなる。1つの送信期間における第2の参照信号のオフセットについては、上記の説明を参照するべきである。
【００７９】
加えて、この出願のこの実施形態においては、送信期間及びオフセットは、サブフレーム、スロット、サブスロット、又は、短い送信時間間隔によって測定されてもよい。
【００８０】
ネットワークデバイスは、複数の方式によって第1のサブキャリア間隔及び第2のサブキャリア間隔を決定してもよい。第1の可能な実装において、第1のサブキャリア間隔及び第2のサブキャリア間隔は、ネットワークデバイス及び端末によってあらかじめ合意されていてもよい。この場合には、ネットワークデバイスは、第1のサブキャリア間隔及び第2のサブキャリア間隔を直接的に決定してもよい。
【００８１】
選択的に、ネットワークデバイス及び端末は、第1のサブキャリア間隔が第1のサブバンドの中の物理ダウンリンク共有チャネル(Physical  Downlink  Shared  Channel,  PDSCH)のサブキャリア間隔と同じであるということ、及び、第2のサブキャリア間隔が第2のサブバンドの中のPDSCHのサブキャリア間隔と同じであるということをあらかじめ合意してもよい。この場合には、ステップ203において、端末は、第1のサブキャリア間隔として第1のサブバンドの中のPDSCHのサブキャリア間隔を直接的に使用し、第2のサブキャリア間隔として第2のサブバンドの中のPDSCHのサブキャリア間隔を使用してもよい。
【００８２】
選択的に、ネットワークデバイス及び端末は、第1のサブキャリア間隔が第2のサブキャリア間隔と同じであり、第1のサブキャリア間隔が第1のサブバンドの中のPDSCHのサブキャリア間隔と同じであるということをあらかじめ合意してもよい。この場合には、ステップ203において、端末は、第1のサブキャリア間隔及び第2のサブキャリア間隔として、第1のサブバンドの中のPDSCHのサブキャリア間隔を直接的に使用してもよい。この出願のこの実施形態においては、以下で説明を容易にするために、第1のサブバンドのサブキャリア間隔は、第1のサブバンドの中のPDSCHのサブキャリア間隔であってもよく、そのサブキャリア間隔は、第1のサブバンドのサブキャリア間隔と称されるということに留意すべきである。対応して、以下で説明を容易にするために、第2のサブバンドのサブキャリア間隔は、第2のサブバンドの中のPDSCHのサブキャリア間隔であってもよく、そのサブキャリア間隔は、第2のサブバンドのサブキャリア間隔と称される。
【００８３】
この実装において、第1のサブキャリア間隔は、第2のサブキャリア間隔と同じであってもよく、又は、異なっていてもよいということに留意すべきである。このことは、具体的には、実際の状況に基づいて決定され、この出願のこの実施形態においては限定されない。
【００８４】
例えば、第1の構成は、第1のパターンをさらに含み、第1のパターンは、ネットワークデバイス及び端末によってあらかじめ合意されている。ネットワークデバイス及び端末は、パターン又はパターンセットをあらかじめ合意していてもよい。ネットワーク機器は、端末機器にパターン番号を送信する。この場合には、端末は、あらかじめ合意されている第1のパターンによって、又は、パターン番号に対応するパターンに基づいて、第1の参照信号を直接的に受信してもよい。
【００８５】
第2の可能な実装において、ネットワークデバイスは、第1のサブバンドのサブキャリア間隔に基づいて、第1のサブキャリア間隔及び第2のサブキャリア間隔を決定してもよい。
【００８６】
具体的には、ネットワークデバイスは、第1のサブキャリア間隔として第1の帯域のサブキャリア間隔を使用し、そして、第2のサブキャリア間隔として第1の帯域のサブキャリア間隔を使用してもよい。
【００８７】
この実装においては、第1のサブキャリア間隔は、第2のサブキャリア間隔と同じである。
【００８８】
第3の可能な実装において、ネットワークデバイスは、第1のサブバンドのサブキャリア間隔に基づいて、第1のサブキャリア間隔を決定し、そして、第2のサブバンドのサブキャリア間隔に基づいて、第2のサブキャリア間隔を決定してもよい。
【００８９】
具体的には、ネットワークデバイスは、第1のサブキャリア間隔として第1の帯域のサブキャリア間隔を使用し、そして、第2のサブキャリア間隔として第2の帯域のサブキャリア間隔を使用してもよい。この実装においては、第1のサブキャリア間隔は、第2のサブキャリア間隔と同じであってもよく、又は、異なっていてもよい。
【００９０】
第2の可能な実装及び第3の可能な実装においては、第1の構成及び第2の構成は、上位層シグナリング又は物理層シグナリングを使用することによって、ネットワークデバイスによって端末に送信されてもよい。具体的には、ネットワークデバイスは、上位層シグナリング又は物理層シグナリングを使用することによって、第1のサブバンドにおいて第1の構成及び第2の構成を送信してもよく、又は、上位層シグナリング又は物理層シグナリングを使用することによって、第2のサブバンドにおいて第1の構成及び第2の構成を送信してもよい。
【００９１】
この出願のこの実施形態においては、上位層シグナリングは、無線リソース制御(Radio  Resource  Control,  RRC)シグナリング又はメディアアクセス制御(Media  Access  Control,  MAC)制御要素(Control  Element,  CE)シグナリング等のシグナリングであってもよい。物理層シグナリングは、ダウンリンク制御情報(Downlink Control Information、DCI)等のシグナリングであってもよい。
【００９２】
この場合には、ステップ203において、端末は、受信した上位層シグナリング又は物理層シグナリングを使用することによって、第1の構成及び第2の構成を決定してもよい。
【００９３】
この出願のこの実施形態においては、第1のサブバンドのサブキャリア間隔は、第2のサブバンドのサブキャリア間隔と同じであってもよく、又は、異なっていてもよいということに留意すべきである。このことは、この出願のこの実施態様においては限定されない。
【００９４】
この出願のこの実施形態においては、第1のサブキャリア間隔は、第1のサブバンドのサブキャリア間隔と同じであってもよく、又は、異なっていてもよい。このことは、具体的には、実際の状況に基づいて決定される。それに対応して、第2のサブキャリア間隔は、第2のサブバンドのサブキャリア間隔と同じであってもよく、又は、異なっていてもよい。
【００９５】
第1のサブキャリア間隔が第1のサブバンドのサブキャリア間隔とは異なるときに、第1のパターンセットは、第1のサブバンドのサブキャリア間隔と第1のサブキャリア間隔とのマッピング関係を有してもよい。そのマッピング関係は、事前に合意されていてもよく、又は、ネットワークデバイスによって設定され、そして、端末に通知されてもよい。第1のパターンセットは、少なくとも1つのパターンを含んでいる。この場合に、第1の構成が第1のパターンを含むときは、ネットワークデバイスは、最初に、第1のパターンセットを決定し、その第1のパターンセットは、第1のサブバンドのサブキャリア間隔と第1のサブキャリア間隔とのマッピング関係を有し、その第1のパターンセットから、第1のパターンとして設定されるパターンを選択してもよい。第2のパターンは、また、上記の方式で決定されてもよく、詳細は、本明細書においては説明されない。
【００９６】
ステップ202において、周波数領域において第1のサブバンド及び第2のサブバンドに対して、周波数分割多重化(Frequency  Division  Multiplexing,  FDM)を実行してもよい。代替的に、時間領域において第1のサブバンド及び第2のサブバンドに対して、時分割多重化(Time  Division  Multiplexing,  TDM)を実行してもよい。代替的に、FDMは、周波数領域において第1のサブバンド及び第2のサブバンドに対して実行され、TDMは、時間領域において第1のサブバンド及び第2のサブバンドに対して実行される。
【００９７】
この出願のこの実施形態においては、ネットワークデバイスは、周波数領域の中で1つのキャリアをN個のサブバンドに分割してもよく、それらのサブバンドのすべてのパラメータ構成は異なっているということに留意すべきであり、Nは、1以上の正の整数である。ネットワークデバイスは、N個のサブバンドの各々において1つ又は複数の端末に参照信号を送信してもよく、送信された参照信号のすべての構成は、同一であってもよく、又は、異なっていてもよい。加えて、ネットワークデバイスは、各々のキャリアにおけるサブバンドに番号を付してもよい。
【００９８】
上記の説明を参照すると、第1のサブバンド及び第2のサブバンドは、同じキャリアに存在していてもよく、又は、複数の異なるキャリアに存在していてもよい。説明を容易にするために、この出願の複数の実施態様のうちのいくつかにおいて、第1のサブバンド及び第2のサブバンドは、同じキャリアに存在する。一方で、第1のサブバンド及び第2のサブバンドが複数の異なるキャリアに存在するシナリオにおいては、同じ方法を使用してもよく、本明細書においては、詳細は説明されない。
【００９９】
加えて、この出願のこの実施形態においては、各々のサブバンドのパラメータ構成は、
サブキャリア間隔、
キャリア周波数、
サブバンド帯域幅、
システム帯域幅の中のサブバンドの位置、
サイクリックプレフィックス(Cyclic  prefix,  CP)タイプ、及び、
サブバンド番号、
のうちの1つ又は複数の項目を含む。
【０１００】
ネットワークデバイスは、上位層シグナリング又は物理層シグナリングを使用することによって、第1のサブバンドのパラメータ構成を送信してもよい。同様に、ネットワークデバイスは、上位層シグナリング又は物理層シグナリングを使用することによって、第2のサブバンドのパラメータ構成を送信してもよい。
【０１０１】
この出願のこの実施形態においては、ネットワークデバイスは、さらに、マスター情報ブロック(Master  Information  Block,  MIB)又はシステム情報ブロック(System  Information  Block,  SIB)を使用することによって、端末にサブバンドのすべての構成を送信してもよい。
【０１０２】
ステップ204において、端末がチャネル品質をフィードバックする特定のプロセスについては、既存の通信規格の説明を参照するべきである。本明細書においては、詳細は説明されない。
【０１０３】
上記のプロセスは、複数の特定の実施形態を参照して以下で詳細に説明される。以下の説明においては、第1のサブバンド及び第2のサブバンドは、同じキャリアに存在している。第1のサブバンド及び第2のサブバンドが複数の異なるキャリアに存在している場合には、以下の説明を参照するべきである。本明細書においては、詳細は説明されない。
【０１０４】
第1の可能なシナリオ:
【０１０５】
このシナリオにおいては、ネットワークデバイスは、第1のサブバンド及び第2のサブバンドにおいて、端末ユーザに、例えば、CSI-RS等の参照信号を送信する。第1のサブバンドのサブキャリア間隔は、第2のサブバンドのサブキャリア間隔とは異なる。第1のサブバンドのサブキャリア間隔は、15[kHz]であり、第2のサブバンドのサブキャリア間隔は、30[kHz]である。第1のサブバンド及び第2のサブバンドは、システム帯域幅の一部であり、連続的な帯域幅であってもよく、又は、複数の不連続的な帯域幅を含んでいてもよい。第1のサブキャリア間隔は、第2のサブキャリア間隔と同じである。第1のサブキャリア間隔及び第2のサブキャリア間隔は、第1のサブバンドのサブキャリア間隔に基づいて、ネットワークデバイスによって決定され、そして、15[kHz]である。第1のサブバンド及び第2のサブバンドに対して、FMD、TDM、又はFDM及びTDMを実行してもよい。同じサブキャリア間隔、すなわち、第1のサブキャリア間隔を有する、例えば、CSI-RS等の第1の参照信号は、複数の異なるサブキャリア間隔を有するサブバンドにおいて送信される。詳細については、図3を参照するべきである。図3は、この出願のある1つの実施形態にしたがった参照信号の概略的な図である。
【０１０６】
図3において、第1の参照信号の構成は、CSI-RSのパターン、CSI-RSのサブキャリア間隔、CSI-RSの時間領域位置及び周波数領域位置、第1の帯域においてCSI-RSが占有する帯域幅、第1のサブバンドにおけるCSI-RSの送信期間及びオフセット、及び、CSI-RSが第1のサブバンドにおいて送信されるか否かを示す識別子のうちの1つ又は複数の項目を含む。CSI-RSのパターンは、固定されている時間周波数リソースにおけるCSI-RSの周波数領域におけるキャリアインデックス及び時間領域におけるシンボルインデックスであってもよく、その固定されている時間周波数リソースは、リソースブロック、リソースブロック対、又は、リソースブロックグループであってもよい。CSI-RSの時間領域位置及び周波数領域位置は、第1のサブバンド及び/又は第2のサブバンドにおけるCSI-RSのリソースブロックのインデックス、及び、そのリソースブロックの中に存在する時間領域シンボルインデックス及び周波数領域キャリアインデックスであってもよい。例えば、ネットワークデバイスが送信するCSI-RSの時間周波数位置は、{リソースブロック0、時間領域シンボルインデックス2、及び、周波数領域キャリアインデックス5及び6}、{リソースブロック5、時間領域シンボルインデックス2、及び、周波数領域キャリアインデックス5及び6}、又は、{リソースブロック8、時間領域シンボルインデックス0、及び、周波数領域キャリアインデックス7}のセットである。リソースブロックは、ある1つの粒度として第1のサブキャリア間隔を使用することによって定義される。端末側は、第1のサブバンドにおいて参照信号構成情報を受信し、そして、第1の参照信号の第1のサブキャリア間隔及び時間周波数位置、ある特定の帯域幅において参照信号を受信するか否か、ネットワークデバイスに対応するサブバンド、及び、参照信号受信期間及びオフセットを決定する。
【０１０７】
CSI-RSが第1のサブバンドにおいて送信されるか否かを示す識別子は、端末側がそのサブバンドにおいて第1の参照信号を受信するか否かを示すのに使用される。その識別子は、端末側が第1の参照信号を周期的に受信するということを示してもよく、又は、端末側がトリガ方式で第1の参照信号を受信するということを示してもよい。例えば、その識別子が、端末側が第1の参照信号を周期的に受信するということを示すときに、1ビットのリソース識別子"rsflag"において、端末側がそのサブバンドにおいて第1の参照信号を受信しないということを示すのに1を使用してもよく、端末側がそのサブバンドにおいて第1の参照信号を周期的に受信するということを示すのに0を使用してもよい。
【０１０８】
図3において、第1の参照信号の送信期間は、第2の参照信号の送信期間と同じであってもよく、1つの送信期間における第1の参照信号のオフセットは、1つの送信期間における第2の参照信号のオフセットと同じであってもよい。図3に関して、詳細は、図4に示されている。図4において、第1の参照信号の送信期間及び第2の参照信号の送信期間は、ともに、5であり、1つの送信期間における第1の参照信号のオフセット及び1つの送信期間における第2の参照信号のオフセットは、ともに、0である。
【０１０９】
図3において、第1の参照信号の送信期間は、第2の参照信号の送信期間と異なってもよく、1つの送信期間における第1の参照信号のオフセットは、1つの送信期間における第2の参照信号のオフセットと異なってもよい。図3に関しては、詳細は、図5に示されている。図5において、第1の参照信号の送信期間は、5であり、1つの送信期間における第1の参照信号のオフセットは、0である。第2の参照信号の送信期間は、4であり、1つの送信期間における第2の参照信号のオフセットは、1である。
【０１１０】
もちろん、上記のことは、ある1つの例であるにすぎず、さらに、他の場合も存在する。例えば、第1の参照信号の送信期間は、第2の参照信号の送信期間と同じであり、1つの送信期間における第1の参照信号のオフセットは、1つの送信期間における第2の参照信号のオフセットとは異なる。本明細書においては、詳細は説明されない。
【０１１１】
説明のためのある1つの例として第1のサブバンド及び第2のサブバンドを使用しているにすぎないということに留意すべきである。第1のサブキャリア間隔を有する第1の参照信号を送信するのに使用されるサブバンドの数は、システム帯域幅におけるサブバンドのすべての数以下であってもよい。
【０１１２】
このシナリオにおいては、第1のサブキャリアは、第1のサブバンドのサブキャリア間隔と異なっていてもよく、第2のサブキャリアは、第2のサブバンドのサブキャリア間隔と異なっていてもよい。本明細書においては、詳細は説明されない。
【０１１３】
第2の可能なシナリオ:
【０１１４】
このシナリオにおいては、ネットワークデバイスは、第1のサブバンド及び第2のサブバンドにおいて、端末ユーザに、例えば、CSI-RS等の参照信号を送信する。第1のサブバンドのサブキャリア間隔は、第2のサブバンドのサブキャリア間隔とは異なる。第1のサブバンドのサブキャリア間隔は、15[kHz]であり、第2のサブバンドのサブキャリア間隔は、30[kHz]である。第1のサブキャリア間隔は、第2のサブキャリア間隔とは異なる。第1のサブキャリア間隔は、第1のサブバンドのサブキャリア間隔に基づいて、ネットワークデバイスによって決定され、15[kHz]である。第2のサブキャリア間隔は、第2のサブバンドのサブキャリア間隔に基づいて、ネットワークデバイスによって決定され、30[kHz]である。詳細については、図6を参照するべきである。図6は、この出願のある1つの実施形態にしたがった参照信号の概略的な図である。
【０１１５】
図6において、第1の参照信号の構成は、CSI-RSのパターン、CSI-RSのサブキャリア間隔、CSI-RSの時間領域位置及び周波数領域位置、第1の帯域においてCSI-RSが占有する帯域幅、第1のサブバンドにおけるCSI-RSの送信期間及びオフセット、CSI-RSが第1のサブバンドにおいて送信されるか否かを示す識別子、CSI-RSサブバンドのサブキャリア間隔、及び、サブバンド番号のうちの1つ又は複数の項目を含む。端末は、第1の参照信号構成情報の中で搬送される第1のサブキャリア間隔に基づいて、第1のサブキャリア間隔を取得してもよく、又は、サブバンドのサブキャリア間隔に基づいて、第1のサブキャリア間隔を決定してもよい。ネットワークデバイスは、MIB又はSIBを使用することによって、端末側に、システム帯域幅におけるサブバンドのうちのすべてのサブバンドのサブキャリア間隔、及び、システム帯域幅におけるサブバンドのうちのすべてのサブバンドの位置及び帯域幅をブロードキャストしてもよい。端末側は、サブバンドの番号に基づいて、サブバンドのサブキャリア間隔を取得することが可能である。
【０１１６】
端末側は、第1のサブバンドにおいて参照信号の構成情報を受信し、そして、各々のサブバンドにおける参照信号の第1のサブキャリア間隔、参照信号のパターン、参照信号を受信したか否か、参照信号の時間周波数位置、及び、送信期間及びオフセットを決定する。
【０１１７】
このシナリオにおいては、第1のサブキャリアは、第1のサブバンドのサブキャリア間隔と異なっていてもよく、第2のサブキャリアは、第2のサブバンドのサブキャリア間隔と異なっていてもよい。本明細書においては、詳細は説明されない。
【０１１８】
第3の可能な実装:
【０１１９】
このシナリオにおいては、ネットワークデバイスは、第1のサブバンド及び第2のサブバンドにおいて、端末に、例えば、CSI-RS等の参照信号を送信する。第1のサブキャリア間隔は、第1のサブバンドのサブキャリア間隔とは異なり、第2のサブキャリア間隔は、第2のサブバンドのサブキャリア間隔とは異なる。第1のパターンセットは、第1のサブバンドのサブキャリア間隔と第1のサブキャリア間隔とのマッピング関係を有し、第2のパターンセットは、第2のサブバンドのサブキャリア間隔と第2のサブキャリア間隔とのマッピング関係を有する。
【０１２０】
例えば、第1のサブバンドのサブキャリア間隔が15[kHz]であり、第1のサブキャリア間隔が30[kHz]であるときに、図7(a)において、第1のサブバンドのサブキャリア間隔と第1のサブキャリア間隔とのマッピング関係を有する第1のパターンを示すことができる。図7(a)においては、第1のパターンは、ゼロ電力RE及び非ゼロ電力REを含む。
【０１２１】
例えば、第1のサブバンドのサブキャリア間隔が15[kHz]であり、第1のサブキャリア間隔が60[kHz]であるときに、図7(b)において、第1のサブバンドのサブキャリア間隔と第1のサブキャリア間隔とのマッピング関係を有する第1のパターンを示すことができる。図7(b)においては、第1のパターンは、ゼロ電力RE及び非ゼロ電力REを含む。
【０１２２】
例えば、第1のサブバンドのサブキャリア間隔が60[kHz]であり、第1のサブキャリア間隔が15[kHz]であるときに、図7(c)において、第1のサブバンドのサブキャリア間隔と第1のサブキャリア間隔とのマッピング関係を有する第1のパターンを示すことができる。図7(c)においては、第1のパターンは、ゼロ電力RE及び非ゼロ電力REを含む。
【０１２３】
例えば、第1のサブバンドのサブキャリア間隔が30[kHz]であり、第1のサブキャリア間隔が15[kHz]であるときに、図7(d)において、第1のサブバンドのサブキャリア間隔と第1のサブキャリア間隔とのマッピング関係を有する第1のパターンを示すことができる。図7(d)においては、第1のパターンは、ゼロ電力RE及び非ゼロ電力REを含む。
【０１２４】
もちろん、第1のパターンは、非ゼロ電力REのみを含んでもよい。詳細は、図8(a)乃至図8(d)に示されている。図8(a)乃至図8(d)は、第1のパターンの概略的な図であり、その第1のパターンは、第1のサブバンドのサブキャリア間隔と第1のサブキャリア間隔とのマッピング関係を有する。図8(a)においては、第1のサブバンドのサブキャリア間隔は、15[kHz]であり、第1のサブキャリア間隔は、30[kHz]である。図8(b)においては、第1のサブバンドのサブキャリア間隔は、15[kHz]であり、第1のサブキャリア間隔は、60[kHz]である。図8(c)においては、第1のサブバンドのサブキャリア間隔は、60[kHz]であり、第1のサブキャリア間隔は、15[kHz]である。図8(d)においては、第1のサブバンドのサブキャリア間隔は、30[kHz]であり、第1のサブキャリア間隔は、15[kHz]である。
【０１２５】
第1の参照信号の構成は、CSI-RSのパターン、CSI-RSのサブキャリア間隔、CSI-RSの時間領域位置及び周波数領域位置、第1の帯域においてCSI-RSが占有する帯域幅、第1のサブバンドにおけるCSI-RSの送信期間及びオフセット、CSI-RSが第1のサブバンドにおいて送信されるか否かを示す識別子、CSI-RSサブバンドのサブキャリア間隔、及び、サブバンド番号のうちの1つ又は複数の項目を含む。CSI-RSのパターンは、第1のパターンセットの中のパターンである。
【０１２６】
端末側は、第1のサブバンドにおいて参照信号の構成情報を受信し、そして、各々のサブバンドにおける参照信号の第1のサブキャリア間隔、参照信号のパターン、参照信号を受信したか否か、参照信号の時間周波数位置、及び、送信期間及びオフセットを決定する。
【０１２７】
このシナリオにおいては、第1のサブキャリアは、第1のサブバンドのサブキャリア間隔と同じであってもよく、第2のサブキャリアは、第2のサブバンドのサブキャリア間隔と同じであってもよい。本明細書においては、詳細は説明されない。
【０１２８】
もちろん、第1の可能なシナリオ乃至第3の可能なシナリオは、ある1つの例であるにすぎず、他のシナリオが存在してもよい。詳細については、上記の説明を参照するべきである。本明細書においては、詳細は繰り返しては説明されない。
【０１２９】
上記の記載は、ダウンリンク参照信号を送信する方法を説明している。この出願の複数の実施形態による方法は、さらに、アップリンク参照信号の送信に適用可能である。具体的には、図9は、この出願のある1つの実施形態にしたがった参照信号送信方法の概略的なフローチャートである。
【０１３０】
図9を参照すると、その方法は、以下のステップを含む。
【０１３１】
ステップ901:  ネットワークデバイスは、第3の参照信号の第3の構成及び第4の参照信号の第4の構成を決定し、第3の構成は、第3のサブキャリア間隔を含み、第4の構成は、第4のサブキャリア間隔を含み、第3のサブバンドのパラメータ構成は、第4のサブバンドのパラメータ構成とは異なる。
【０１３２】
ステップ902:  ネットワークデバイスは、端末に第3の構成及び第4の構成を送信する。
【０１３３】
ステップ903:  端末は、ネットワークデバイスが送信した第3の構成及び第4の構成を受信する。
【０１３４】
第3の構成は、第3のサブキャリア間隔を含み、第4の構成は、第4のサブキャリア間隔を含み、第3のサブバンドのパラメータ構成は、第4のサブバンドのパラメータ構成とは異なる。
【０１３５】
ステップ904:  端末は、第3のサブバンドにおいて、第3の構成を満足する第3の参照信号を送信し、第4のサブバンドにおいて、第4の構成を満足する第4の参照信号を送信する。
【０１３６】
ステップ901乃至ステップ904において、第3の参照信号及び第4の参照信号の双方は、各々、チャネル状態情報参照信号又はセル特有参照信号であってもよく、又は、第3の参照信号及び第4の参照信号の双方は、チャネル状態情報参照信号又はセル特有参照信号と同様の参照信号であってもよい。第3の参照信号及び第4の参照信号に関するその他の内容については、ステップ201乃至ステップ204の説明を参照するべきである。本明細書においては、詳細は繰り返しては説明されない。
【０１３７】
ステップ901乃至ステップ904において、第3の構成は、
第3の参照信号の送信期間、
1つの送信期間における第3の参照信号のオフセット、
第3の参照信号の第3のパターン、又は、第3の参照信号の時間周波数位置及び周波数領域位置、具体的には、スケジューリングされているリソースブロックにおいて第3の参照信号の時間領域におけるシンボルインデックス及び周波数領域におけるキャリアインデックスである、第3の参照信号の第3のパターン、
第3のサブバンドにおいて第3の参照信号が占有する帯域幅、
第3のスイッチ識別子であって、その第3のスイッチ識別子は、端末が、第3のサブバンドにおいて第3の参照信号を受信するか否かを示すのに使用される、第3のスイッチ識別子、及び、
第3のサブバンドの番号、
のうちの1つ又は複数の項目をさらに含んでもよい。
【０１３８】
上記の内容の詳細については、ステップ201乃至ステップ204の第1の構成又は第2の構成の説明を参照するべきである。本明細書においては、詳細は繰り返しては説明されない。
【０１３９】
それに対応して、第4の構成の特定の内容については、第3の構成の説明、及び、ステップ201乃至ステップ204の第1の構成又は第2の構成の説明を参照するべきである。本明細書においては、詳細は繰り返しては説明されない。
【０１４０】
ステップ901乃至ステップ904において、第3のサブバンドのパラメータ構成及び第4のサブバンドのパラメータ構成の特定の内容については、ステップ201乃至ステップ204の説明を参照するべきである。本明細書においては、詳細は繰り返しては説明されない。
【０１４１】
ステップ901乃至ステップ904において、第3のサブキャリア間隔は、第4のサブキャリア間隔と同じであってもよく、又は、異なっていてもよい。詳細については、ステップ201乃至ステップ204の第1のサブキャリア間隔及び第2のサブキャリア間隔の説明を参照するべきである。本明細書においては、詳細は繰り返しては説明されない。
【０１４２】
ステップ901乃至ステップ904において、第3のサブバンド及び第4のサブバンドは、同じキャリアに位置していてもよく、又は、複数の異なるキャリアに位置していてもよい。詳細については、ステップ201乃至ステップ204の説明を参照するべきである。本明細書においては、詳細は繰り返しては説明されない。
【０１４３】
同じ技術的概念に基づいて、この出願のある1つの実施形態は、さらに、参照信号送信装置を提供し、その装置は、上記の方法の実施形態を実行することが可能である。
【０１４４】
図10は、この出願のある1つの実施形態にしたがった参照信号送信装置の概略的な構成図である。
【０１４５】
図10を参照すると、その装置は、
第1の参照信号の第1の構成及び第2の参照信号の第2の構成を決定するように構成される処理ユニット1001であって、第1の構成は、第1のサブキャリア間隔を含み、第2の構成は、第2のサブキャリア間隔を含む、処理ユニット1001と、
第1のサブバンドにおいて、第1の構成を満足する第1の参照信号を送信し、そして、第2のサブバンドにおいて、第2の構成を満足する第2の参照信号を送信する、ように構成されるトランシーバーユニット1002と、を含み、
第1のサブバンドのパラメータ構成は、第2のサブバンドのパラメータ構成とは異なる。
【０１４６】
選択的に、パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【０１４７】
選択的に、処理ユニット1001は、特に、
第1のサブバンドのサブキャリア間隔に基づいて、第1のサブキャリア間隔及び第2のサブキャリア間隔を決定するように構成されるか、又は、
第1のサブバンドのサブキャリア間隔に基づいて、第1のサブキャリア間隔を決定し、そして、第2のサブバンドのサブキャリア間隔に基づいて、第2のサブキャリア間隔を決定する、ように構成される。
【０１４８】
選択的に、第1の構成は、第1の参照信号の第1のパターン、又は、第1の参照信号の時間周波数位置及び周波数領域位置をさらに含み、第1のパターンは、固定されている時間周波数リソースにおける第1の参照信号の時間領域位置及び周波数領域位置を指す。
【０１４９】
選択的に、処理ユニット1001は、特に、
第1のサブバンドのサブキャリア間隔と第1のサブキャリア間隔とのマッピング関係を有する第1のパターンセットを決定し、そして、第1のパターンセットから、第1のパターンとしてパターンを選択する、ように構成される。
【０１５０】
選択的に、第1のパターンは、ゼロ電力リソースエレメントRE及び非ゼロ電力REのうちの1つ又は複数を含む。
【０１５１】
選択的に、トランシーバーユニット1002は、さらに、
第1のスイッチ識別子を送信するように構成され、第1のスイッチ識別子は、端末が、第1のサブバンドにおいて第1の参照信号を受信するか否かを示すのに使用される。
【０１５２】
選択的に、第1の構成は、第1の参照信号の送信期間をさらに含み、第2の構成は、第2の参照信号の送信期間をさらに含む。
【０１５３】
上記のユニットの分割は、論理的な機能の分割であるにすぎないということを理解すべきである。実際の実装においては、それらの複数のユニットのうちのすべて又は一部を一体化して、1つの物理的な実体としてもよく、或いは、それらの複数のユニットは、物理的に分離されていてもよい。この出願のこの実施形態においては、トランシーバーユニット1002は、トランシーバーによって実装されてもよく、処理ユニット1001は、プロセッサによって実装されてもよい。図11に示されているように、ネットワークデバイス1100は、プロセッサ1101、トランシーバー1102、及びメモリ1103を含んでもよい。メモリ1103は、ネットワークデバイス1100が工場から配送されるときにあらかじめインストールされているプログラム/コードを格納するように構成されてもよく、又は、プロセッサ1101によって実行されるコード等を格納してもよい。
【０１５４】
同じ技術的概念に基づいて、この出願のある1つの実施形態は、さらに、参照信号受信装置を提供し、その装置は、上記の方法の実施形態を実行することが可能である。
【０１５５】
図12は、この出願のある1つの実施形態にしたがった参照信号受信装置の概略的な構成図である。
【０１５６】
図12を参照すると、その装置は、
第1のサブバンドにおいて、第1の構成を満足する第1の参照信号を受信し、そして、第2のサブバンドにおいて、第2の構成を満足する第2の参照信号を受信する、ように構成されるトランシーバーユニット1201であって、第1の構成は、第1のサブキャリア間隔を含み、第2の構成は、第2のサブキャリア間隔を含み、第1のサブバンドのパラメータ構成は、第2のサブバンドのパラメータ構成とは異なる、トランシーバーユニット1201と、
第1の参照信号及び第2の参照信号に基づいて、チャネル品質を個別にフィードバックするように構成される処理ユニット1202と、を含む。
【０１５７】
選択的に、パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【０１５８】
選択的に、第1のサブキャリア間隔及び第2のサブキャリア間隔は、第1のサブバンドのサブキャリア間隔を使用することによって決定されるか、又は、
第1のサブキャリア間隔は、第1のサブバンドのサブキャリア間隔を使用することによって決定され、第2のサブキャリア間隔は、第2のサブバンドのサブキャリア間隔を使用することによって決定される。
【０１５９】
選択的に、第1の構成は、第1の参照信号の第1のパターン、又は、第1の参照信号の時間周波数位置及び周波数領域位置をさらに含み、第1のパターンは、固定されている時間周波数リソースにおける第1の参照信号の時間領域位置及び周波数領域位置を指す。
【０１６０】
選択的に、第1のパターンは、ゼロ電力リソースエレメントRE及び非ゼロ電力REのうちの1つ又は複数を含む。
【０１６１】
選択的に、トランシーバーユニット1201は、さらに、
ネットワークデバイスが送信した第1のスイッチ識別子を受信し、そして、
第1のスイッチ識別子に基づいて、第1のサブバンドにおいて第1の参照信号を受信するべきであるか否かを決定する、ように構成される。
【０１６２】
選択的に、第1の構成は、第1の参照信号の送信期間をさらに含み、第2の構成は、第2の参照信号の送信期間をさらに含む。
【０１６３】
上記のユニットの分割は、論理的な機能の分割であるにすぎないということを理解すべきである。実際の実装においては、それらの複数のユニットのうちのすべて又は一部を一体化して、1つの物理的な実体としてもよく、或いは、それらの複数のユニットは、物理的に分離されていてもよい。この出願のこの実施形態においては、トランシーバーユニット1201は、トランシーバーによって実装されてもよく、処理ユニット1202は、プロセッサによって実装されてもよい。図13に示されているように、端末1300は、プロセッサ1301、トランシーバー1302、及びメモリ1303を含んでもよい。メモリ1303は、端末1300が工場から配送されるときにあらかじめインストールされているプログラム/コードを格納するように構成されてもよく、又は、プロセッサ1301によって実行されるコード等を格納してもよい。
【０１６４】
トランシーバーは、有線トランシーバー、無線トランシーバー、又は、それらの組み合わせであってもよい。例えば、有線トランシーバーは、イーサーネットインターフェイスであってもよい。イーサーネットインターフェイスは、光インターフェイス、電気的なインターフェイス、又は、それらの組み合わせであってもよい。例えば、無線トランシーバーは、無線ローカルエリアネットワークトランシーバー、セルラネットワークトランシーバー、又は、それらの組み合わせであってもよい。プロセッサは、中央処理ユニット(英文:  central  processing  unit,  略称:  CPU)、ネットワークプロセッサ(英文:  network  processor,  略称:  NP)、又は、CPU及びNPの組み合わせであってもよい。プロセッサ1501は、ハードウェアチップをさらに含んでもよい。ハードウェアチップは、特定用途向け集積回路(英文:  application-specific  integrated  circuit,  略称:  ASIC)、プログラム可能な論理デバイス(英文:  programmable  logic  device,  略称:  PLD)、又は、それらの組み合わせであってもよい。PLDは、結合型のプログラム可能な論理デバイス(英文:  complex  programmable  logic  device,  略称:  CPLD)、フィールドプログラマブルゲートアレイ(英文:  field-programmable  gate  array,  略称:  FPGA)、汎用アレイ論理(英文:  generic  array  logic,  略称:  GAL)、又はそれらの任意の組み合わせであってもよい。メモリは、例えば、ランダムアクセスメモリ(英文:  random  access  memory,  略称:  RAM)等の揮発性メモリ(英文:  volatile  memory)を含んでもよく、又は、メモリは、例えば、読み取り専用メモリ(英文:  read-only  memory,  略称:  ROM) 、フラッシュメモリ(英文:  flash  memory)、ハードディスクドライブ(英文:  hard  disk  drive,  略称:  HDD)、又はソリッドステートドライブ(英文:  solid-state  drive,  略称:  SSD)等の不揮発性メモリ(英文:  non-volatile  memory)を含んでもよい。代替的に、メモリは、上記のタイプのメモリの組み合わせを含んでもよい。
【０１６５】
バスインターフェイスは、さらに、図11及び図13に含まれていてもよい。バスインターフェイスは、いずれかの数の相互接続バス及びブリッジを含んでもよく、具体的には、プロセッサによって代表される1つ又は複数のプロセッサ及びメモリによって代表されるメモリからなるさまざまな回路を互いにリンクさせてもよい。バスインターフェイスは、さらに、周辺機器デバイス、電圧レギュレータ、及び電力管理回路等のさまざまな他の回路を互いにリンクさせてもよい。このことは、この技術分野においては周知であり、したがって、本明細書においては、さらに説明されない。バスインターフェイスは、インターフェイスを提供する。
【０１６６】
この出願は、この出願の複数の実施態様にしたがった方法、デバイス(システム)、及びコンピュータプログラム製品の複数のフローチャート及び/又は複数のブロック図を参照して説明される。コンピュータプログラム命令は、それらの複数のフローチャート及び/又はそれらの複数のブロック図の中の各々のプロセス及び/又は各々のブロック、及び、それらの複数のフローチャート及び/又はそれらの複数のブロック図の中のプロセス及び/又はブロックの組み合わせを実装するのに使用されてもよいということを理解すべきである。これらのコンピュータプログラム命令は、汎用コンピュータ、専用コンピュータ、組み込み型プロセッサ、又は、いずれかの他のプログラム可能なデータ処理デバイスのプロセッサに提供されて、ある1つの機械を生成し、それによって、コンピュータ又はいずれかの他のプログラム可能なデータ処理デバイスのプロセッサが実行する命令は、ある装置を生成し、その装置は、それらの複数のフローチャートの中の1つ又は複数のプロセス及び/又はそれらの複数のブロック図の中の1つ又は複数のブロックのある特定の機能を実装する。
【０１６７】
これらのコンピュータプログラム命令は、コンピュータ読み取り可能なメモリの中に格納されていてもよく、そのコンピュータ読み取り可能なメモリは、ある特定の方式で動作するように、コンピュータ又はいずれかの他のプログラム可能なデータ処理デバイスに指示することが可能であり、それによって、コンピュータ読み取り可能なメモリの中に格納されている命令は、命令装置を含むある1つのアーティファクトを生成する。その命令装置は、それらの複数のフローチャートの中の1つ又は複数のプロセス及び/又はそれらの複数のブロック図の中の1つ又は複数のブロックのある特定の機能を実装する。
【０１６８】
当業者は、この出願の範囲から離れることなく、この出願にさまざまな修正及び変更を加えることが可能である。この出願は、それらの修正及び変更が以下の特許請求の範囲によって規定される保護の範囲に属している限り、それらの修正及び変更にも及ぶことを意図されている。
【図１】
2020507947.tif 000003
【図２】
2020507947.tif 000004
【図３】
2020507947.tif 000005
【図４】
2020507947.tif 000006
【図５】
2020507947.tif 000007
【図６】
2020507947.tif 000008
【図７（ａ）】
2020507947.tif 000009
【図７（ｂ）】
2020507947.tif 000010
【図７（ｃ）】
2020507947.tif 000011
【図７（ｄ）】
2020507947.tif 000012
【図８（ａ）】
2020507947.tif 000013
【図８（ｂ）】
2020507947.tif 000014
【図８（ｃ）】
2020507947.tif 000015
【図８（ｄ）】
2020507947.tif 000016
【図９】
2020507947.tif 000017
【図１０】
2020507947.tif 000018
【図１１】
2020507947.tif 000019
【図１２】
2020507947.tif 000020
【図１３】
2020507947.tif 000021
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
参照信号受信方法であって、
端末によって、第1のサブバンドにおいて、第1の構成を満足する第1の参照信号を受信し、そして、第2のサブバンドにおいて、第2の構成を満足する第2の参照信号を受信するステップであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、ステップと、
前記端末によって、前記第1の参照信号及び前記第2の参照信号に基づいて、チャネル品質を個別にフィードバックするステップと、を含む、
方法。
【請求項２】
前記パラメータ構成は、
サブキャリア間隔、
キャリア周波数、
サブバンド帯域幅、
システム帯域幅の中のサブバンドの位置、及び、
サイクリックプレフィックス(CP)タイプ、
のうちの1つ又は複数の項目を含む、請求項1に記載の方法。
【請求項３】
前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される、請求項1又は2に記載の方法。
【請求項４】
前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す、請求項1乃至3のうちのいずれか1項に記載の方法。
【請求項５】
前記第1のパターンは、ゼロ電力リソースエレメントRE及び非ゼロ電力REのうちの1つ又は複数を含む、請求項4に記載の方法。
【請求項６】
参照信号送信装置であって、
第1の参照信号の第1の構成及び第2の参照信号の第2の構成を決定するように構成される処理ユニットであって、前記第1の構成は、第1のサブキャリア間隔を含み、前記第2の構成は、第2のサブキャリア間隔を含む、処理ユニットと、
第1のサブバンドにおいて、前記第1の構成を満足する前記第1の参照信号を送信し、そして、第2のサブバンドにおいて、前記第2の構成を満足する前記第2の参照信号を送信する、ように構成されるトランシーバーユニットと、を含み、
前記第1のサブバンドのパラメータ構成は、前記第2のサブバンドのパラメータ構成とは異なる、
装置。
【請求項７】
前記パラメータ構成は、
サブキャリア間隔、
キャリア周波数、
サブバンド帯域幅、
システム帯域幅の中のサブバンドの位置、及び、
サイクリックプレフィックス(CP)タイプ、
のうちの1つ又は複数の項目を含む、請求項6に記載の装置。
【請求項８】
前記処理ユニットは、
前記第1のサブバンドのサブキャリア間隔に基づいて、前記第1のサブキャリア間隔及び前記第2のサブキャリア間隔を決定するように構成されるか、又は、
前記第1のサブバンドのサブキャリア間隔に基づいて、前記第1のサブキャリア間隔を決定し、そして、前記第2のサブバンドのサブキャリア間隔に基づいて、前記第2のサブキャリア間隔を決定する、ように構成される、請求項6又は7に記載の装置。
【請求項９】
前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す、請求項6乃至8のうちのいずれか1項に記載の装置。
【請求項１０】
前記処理ユニットは、
前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択する、ように構成される、請求項9に記載の装置。
【請求項１１】
参照信号受信装置であって、
第1のサブバンドにおいて、第1の構成を満足する第1の参照信号を受信し、そして、第2のサブバンドにおいて、第2の構成を満足する第2の参照信号を受信する、ように構成されるトランシーバーユニットであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、トランシーバーユニットと、
前記第1の参照信号及び前記第2の参照信号に基づいて、チャネル品質を個別にフィードバックするように構成される処理ユニットと、を含む、
装置。
【請求項１２】
前記パラメータ構成は、
サブキャリア間隔、
キャリア周波数、
サブバンド帯域幅、
システム帯域幅の中のサブバンドの位置、及び、
サイクリックプレフィックス(CP)タイプ、
のうちの1つ又は複数の項目を含む、請求項11に記載の装置。
【請求項１３】
前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される、請求項11又は12に記載の装置。
【請求項１４】
前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す、請求項11乃至13のうちのいずれか1項に記載の装置。
【請求項１５】
前記第1のパターンは、ゼロ電力リソースエレメントRE及び非ゼロ電力REのうちの1つ又は複数を含む、請求項14に記載の装置。
【手続補正２】
【補正対象書類名】明細書
【補正対象項目名】全文
【補正方法】変更
【補正の内容】
【発明の詳細な説明】
【技術分野】
【０００１】
[関連出願の相互参照]
この出願は、2017年1月6日付で中国国家知的財産局に出願された"参照信号送信方法及び装置並びに参照信号受信方法及び装置"と題する中国特許出願第201710011309.4号に基づく優先権を主張し、その特許出願の内容は、それらの全体が参照により本明細書に組み込まれる。
【０００２】
[技術分野]
この出願は、通信技術の分野に関し、特に、参照信号送信方法及び装置並びに参照信号受信方法及び装置に関する。
【背景技術】
【０００３】
現在の無線通信システムにおいては、ネットワークデバイスと端末との間のデータ伝送の間に、一方の側はチャネル状態情報を知らないため、その一方の側は、他方の側に、チャネル状態情報を測定するための参照信号を送信し、その次に、フィードバックに基づいてチャネル状態品質を取得する。例えば、ロングタームエボリューション(Long  Term  Evolution,  LTE)システムにおいては、ネットワークデバイスは、セル特有参照信号(Cell  Reference  Signal,  CRS)又はチャネル状態情報参照信号(Channel  State  Information  Reference  Signal,  CSI-RS)等の参照信号を送信し、端末は、サウンディング参照信号(Sounding  Reference  Signal,  SRS)等の参照信号を送信する。端末は、検出されたCRS又はCSI-RSに基づいてCSIを決定して、チャネル品質をフィードバックしてもよい。同様に、ネットワークデバイスは、SRSに基づいて、アップリンクタイミング(timing)を推定してもよく、そして、ダウンリンクチャネル及びアップリンクチャネルが相互関係を表す場合には、チャネル対称性を使用して、ダウンリンクチャネル品質を推定してもよい。
【０００４】
従来技術においては、固定されているとともに一意のサブキャリア間隔が、参照信号を送信するための時間周波数リソースによって使用される。固定されているサブキャリア間隔及び参照信号パターンに基づいて、その参照信号を送信する必要があるにすぎない。一方で、例えば、新たな無線(New  Radio,  NR)システム等の次世代無線通信システムにおいては、そのシステムは、例えば、15[kHz]、30[kHz]、60[kHz]、及び120[kHz]等の複数のサブキャリア間隔をサポートする。1つの周波数は、複数のサブキャリア間隔をサポートすることが可能であり、1つのチャネルは、複数のサブキャリア間隔をサポートすることが可能であり、そして、1つのUEは、複数のサブキャリア間隔をサポートすることが可能である。ネットワーク側は、システム帯域幅の中の複数の異なるサブキャリア間隔に対応する帯域幅の位置を動的に又は準静的に構成してもよい。リソースが動的に変化し、且つ、ユーザが複数のサブキャリア間隔をサポートするときに、従来の方式での信号の測定及び信号の送信は、要件を満たすことが困難であり、参照信号は、その参照信号とは異なるサブキャリア間隔を有するサブバンドにおいて送信される必要がある。
【０００５】
結論として、複数のサブキャリア間隔がシステム帯域幅の中で使用され、且つ、そのシステム帯域幅の中のサブキャリア間隔に対応するサブバンドの位置が動的に変化するときに、ネットワークデバイスがどのようにして参照信号を送信するかは、現時点で解決されるべき緊急の課題となっている。
【発明の概要】
【０００６】
この出願の複数の実施形態は、システム帯域幅において複数のサブキャリア間隔を使用し、且つ、そのシステム帯域幅の中のサブキャリア間隔に対応するサブバンドの位置が動的に変化するときに、端末に参照信号を送信するための参照信号送信方法及び装置並びに参照信号受信方法及び装置を提供する。
【０００７】
第1の態様によれば、参照信号送信方法であって、
ネットワークデバイスによって、第1の参照信号の第1の構成及び第2の参照信号の第2の構成を決定するステップであって、前記第1の構成は、第1のサブキャリア間隔を含み、前記第2の構成は、第2のサブキャリア間隔を含む、ステップと、
前記ネットワークデバイスによって、第1のサブバンドにおいて、前記第1の構成を満足する前記第1の参照信号を送信し、そして、第2のサブバンドにおいて、前記第2の構成を満足する前記第2の参照信号を送信するステップと、を含み、
前記第1のサブバンドのパラメータ構成は、前記第2のサブバンドのパラメータ構成とは異なる、
参照信号送信方法が提供される。
【０００８】
上記の方法によれば、ネットワークデバイスは、第1のサブバンドにおいて、第1の構成を満足する第1の参照信号を送信し、第2のサブバンドにおいて、第2の構成を満足する第2の参照信号を送信する。第1のサブバンドのパラメータ構成は、第2のサブバンドのパラメータ構成と異なるため、その方法は、システム帯域幅において複数のサブキャリア間隔を使用するとともに、そのシステム帯域幅の中のサブキャリア間隔に対応するサブバンドの位置が動的に変化するシナリオに適用可能であり、それによって、参照信号の送信効率を改善する。
【０００９】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００１０】
選択的に、前記ネットワークデバイスが、前記第1のサブキャリア間隔及び前記第2のサブキャリア間隔を決定することは、
前記ネットワークデバイスによって、前記第1のサブバンドのサブキャリア間隔に基づいて、前記第1のサブキャリア間隔及び前記第2のサブキャリア間隔を決定するステップ、又は、
前記ネットワークデバイスによって、前記第1のサブバンドのサブキャリア間隔に基づいて、前記第1のサブキャリア間隔を決定し、そして、前記ネットワークデバイスによって、前記第2のサブバンドのサブキャリア間隔に基づいて、前記第2のサブキャリア間隔を決定するステップ、を含む。
【００１１】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００１２】
選択的に、前記ネットワークデバイスが前記第1のパターンを決定することは、
前記ネットワークデバイスによって、前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択するステップを含む。
【００１３】
選択的に、前記第1のパターンは、ゼロ電力リソースエレメントRE及び非ゼロ電力REのうちの1つ又は複数を含む。
【００１４】
選択的に、当該方法は、
前記ネットワークデバイスによって、第1のスイッチ識別子を送信するステップをさらに含み、前記第1のスイッチ識別子は、端末が、前記第1のサブバンドにおいて前記第1の参照信号を受信するか否かを示すのに使用される。
【００１５】
選択的に、前記第1の構成は、前記第1の参照信号の送信期間をさらに含み、前記第2の構成は、前記第2の参照信号の送信期間をさらに含む。
【００１６】
選択的に、前記第1の構成は、1つの送信期間における前記第1の参照信号のオフセットをさらに含み、前記第2の構成は、1つの送信期間における前記第2の参照信号のオフセットをさらに含む。
【００１７】
選択的に、前記第1の構成は、
前記第1のサブキャリア間隔、及び、
前記第1のサブバンドにおいて前記第1の参照信号が占有する帯域幅、
のうちの1つ又は複数の項目をさらに含む。
【００１８】
選択的に、周波数分割多重化FDMが、周波数領域において前記第1のサブバンド及び前記第2のサブバンドに対して実行されるか、又は、
時分割多重化TDMが、時間領域において前記第1のサブバンド及び前記第2のサブバンドに対して実行されるか、又は、
FDMが、周波数領域において前記第1のサブバンド及び前記第2のサブバンドに対して実行され、且つ、TDMが、時間領域において前記第1のサブバンド及び前記第2のサブバンドに対して実行される。
【００１９】
選択的に、第1の参照信号及び第2の参照信号の双方は、チャネル状態情報参照信号である。
【００２０】
第2の態様によれば、参照信号受信方法であって、
端末によって、第1のサブバンドにおいて、第1の構成を満足する第1の参照信号を受信し、そして、第2のサブバンドにおいて、第2の構成を満足する第2の参照信号を受信するステップであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、ステップと、
前記端末によって、前記第1の参照信号及び前記第2の参照信号に基づいて、チャネル品質を個別にフィードバックするステップと、を含む、
参照信号受信方法が提供される。
【００２１】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００２２】
選択的に、前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される。
【００２３】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００２４】
選択的に、前記第1のパターンは、ゼロ電力リソースエレメントRE及び非ゼロ電力REのうちの1つ又は複数を含む。
【００２５】
選択的に、当該方法は、
前記ネットワークデバイスが送信した第1のスイッチ識別子を前記端末によって受信するステップと、
前記端末によって、前記第1のスイッチ識別子に基づいて、前記第1のサブバンドにおいて前記第1の参照信号を受信するべきであるか否かを決定するステップと、をさらに含む。
【００２６】
選択的に、前記第1の構成は、前記第1の参照信号の送信期間をさらに含み、前記第2の構成は、前記第2の参照信号の送信期間をさらに含む。
【００２７】
選択的に、前記第1の構成は、1つの送信期間における前記第1の参照信号のオフセットをさらに含み、前記第2の構成は、1つの送信期間における前記第2の参照信号のオフセットをさらに含む。
【００２８】
参照信号送信装置であって、
第1の参照信号の第1の構成及び第2の参照信号の第2の構成を決定するように構成される処理ユニットであって、前記第1の構成は、第1のサブキャリア間隔を含み、前記第2の構成は、第2のサブキャリア間隔を含む、処理ユニットと、
第1のサブバンドにおいて、前記第1の構成を満足する前記第1の参照信号を送信し、そして、第2のサブバンドにおいて、前記第2の構成を満足する前記第2の参照信号を送信する、ように構成されるトランシーバーユニットと、を含み、
前記第1のサブバンドのパラメータ構成は、前記第2のサブバンドのパラメータ構成とは異なる、
参照信号送信装置が提供される。
【００２９】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００３０】
選択的に、前記処理ユニットは、特に、
前記第1のサブバンドのサブキャリア間隔に基づいて、前記第1のサブキャリア間隔及び前記第2のサブキャリア間隔を決定するように構成されるか、又は、
前記第1のサブバンドのサブキャリア間隔に基づいて、前記第1のサブキャリア間隔を決定し、そして、前記第2のサブバンドのサブキャリア間隔に基づいて、前記第2のサブキャリア間隔を決定する、ように構成される。
【００３１】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００３２】
選択的に、前記処理ユニットは、特に、
前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択する、ように構成される。
【００３３】
選択的に、前記第1のパターンは、ゼロ電力リソースエレメントRE及び非ゼロ電力REのうちの1つ又は複数を含む。
【００３４】
選択的に、前記トランシーバーユニットは、さらに、
第1のスイッチ識別子を送信するように構成され、前記第1のスイッチ識別子は、端末が、前記第1のサブバンドにおいて前記第1の参照信号を受信するか否かを示すのに使用される。
【００３５】
選択的に、前記第1の構成は、前記第1の参照信号の送信期間をさらに含み、前記第2の構成は、前記第2の参照信号の送信期間をさらに含む。
【００３６】
参照信号受信装置であって、
第1のサブバンドにおいて、第1の構成を満足する第1の参照信号を受信し、そして、第2のサブバンドにおいて、第2の構成を満足する第2の参照信号を受信する、ように構成されるトランシーバーユニットであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、トランシーバーユニットと、
前記第1の参照信号及び前記第2の参照信号に基づいて、チャネル品質を個別にフィードバックするように構成される処理ユニットと、を含む、
参照信号受信装置が提供される。
【００３７】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００３８】
選択的に、前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される。
【００３９】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００４０】
選択的に、前記第1のパターンは、ゼロ電力リソースエレメントRE及び非ゼロ電力REのうちの1つ又は複数を含む。
【００４１】
選択的に、前記トランシーバーユニットは、さらに、
前記ネットワークデバイスが送信した第1のスイッチ識別子を受信し、そして、
前記第1のスイッチ識別子に基づいて、前記第1のサブバンドにおいて前記第1の参照信号を受信するべきであるか否かを決定する、ように構成される。
【００４２】
選択的に、前記第1の構成は、前記第1の参照信号の送信期間をさらに含み、前記第2の構成は、前記第2の参照信号の送信期間をさらに含む。
【００４３】
参照信号送信装置であって、
第1の参照信号の第1の構成及び第2の参照信号の第2の構成を決定するように構成されるプロセッサであって、前記第1の構成は、第1のサブキャリア間隔を含み、前記第2の構成は、第2のサブキャリア間隔を含む、プロセッサと、
第1のサブバンドにおいて、前記第1の構成を満足する前記第1の参照信号を送信し、そして、第2のサブバンドにおいて、前記第2の構成を満足する前記第2の参照信号を送信する、ように構成されるトランシーバーと、を含み、
前記第1のサブバンドのパラメータ構成は、前記第2のサブバンドのパラメータ構成とは異なる、
参照信号送信装置が提供される。
【００４４】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００４５】
選択的に、前記プロセッサは、特に、
前記第1のサブバンドのサブキャリア間隔に基づいて、前記第1のサブキャリア間隔及び前記第2のサブキャリア間隔を決定するように構成されるか、又は、
前記第1のサブバンドのサブキャリア間隔に基づいて、前記第1のサブキャリア間隔を決定し、そして、前記第2のサブバンドのサブキャリア間隔に基づいて、前記第2のサブキャリア間隔を決定する、ように構成される。
【００４６】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００４７】
選択的に、前記プロセッサは、特に、
前記第1のサブバンドの前記サブキャリア間隔と前記第1のサブキャリア間隔とのマッピング関係を有する第1のパターンセットを決定し、そして、前記第1のパターンセットから、前記第1のパターンとしてパターンを選択する、ように構成される。
【００４８】
選択的に、前記第1のパターンは、ゼロ電力リソースエレメントRE及び非ゼロ電力REのうちの1つ又は複数を含む。
【００４９】
選択的に、前記トランシーバーは、さらに、
第1のスイッチ識別子を送信するように構成され、前記第1のスイッチ識別子は、端末が、前記第1のサブバンドにおいて前記第1の参照信号を受信するか否かを示すのに使用される。
【００５０】
選択的に、前記第1の構成は、前記第1の参照信号の送信期間をさらに含み、前記第2の構成は、前記第2の参照信号の送信期間をさらに含む。
【００５１】
参照信号受信装置であって、
第1のサブバンドにおいて、第1の構成を満足する第1の参照信号を受信し、そして、第2のサブバンドにおいて、第2の構成を満足する第2の参照信号を受信する、ように構成されるトランシーバーであって、前記第1の構成は、第1のサブキャリア間隔を含み、前記第2の構成は、第2のサブキャリア間隔を含み、前記第1のサブバンドのパラメータ構成は、前記第2のサブバンドのパラメータ構成とは異なる、トランシーバーと、
前記第1の参照信号及び前記第2の参照信号に基づいて、チャネル品質を個別にフィードバックするように構成されるプロセッサと、を含む、
参照信号受信装置が提供される。
【００５２】
選択的に、前記パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【００５３】
選択的に、前記第1のサブキャリア間隔及び前記第2のサブキャリア間隔は、前記第1のサブバンドのサブキャリア間隔を使用することによって決定されるか、又は、
前記第1のサブキャリア間隔は、前記第1のサブバンドのサブキャリア間隔を使用することによって決定され、前記第2のサブキャリア間隔は、前記第2のサブバンドのサブキャリア間隔を使用することによって決定される。
【００５４】
選択的に、前記第1の構成は、前記第1の参照信号の第1のパターン、又は、前記第1の参照信号の時間周波数位置及び周波数領域位置をさらに含み、前記第1のパターンは、固定されている時間周波数リソースにおける前記第1の参照信号の時間領域位置及び周波数領域位置を指す。
【００５５】
選択的に、前記第1のパターンは、ゼロ電力リソースエレメントRE及び非ゼロ電力REのうちの1つ又は複数を含む。
【００５６】
選択的に、前記トランシーバーは、さらに、
前記ネットワークデバイスが送信した第1のスイッチ識別子を受信し、そして、
前記第1のスイッチ識別子に基づいて、前記第1のサブバンドにおいて前記第1の参照信号を受信するべきであるか否かを決定する、ように構成される。
【００５７】
選択的に、前記第1の構成は、前記第1の参照信号の送信期間をさらに含み、前記第2の構成は、前記第2の参照信号の送信期間をさらに含む。
【図面の簡単な説明】
【００５８】
【図１】この出願の実施形態に適用可能なネットワークアーキテクチャの概略的な図である。
【図２】この出願のある1つの実施形態にしたがった参照信号送信方法の概略的なフローチャートである。
【図３】この出願のある1つの実施形態にしたがった参照信号の概略的な図である。
【図４】この出願のある1つの実施形態にしたがった参照信号送信期間の概略的な図である。
【図５】この出願のある1つの実施形態にしたがった参照信号送信期間の概略的な図である。
【図６】この出願のある1つの実施形態にしたがった参照信号の概略的な図である。
【図７（ａ）】この出願のある1つの実施形態にしたがったパターンの概略的な図である。
【図７（ｂ）】この出願のある1つの実施形態にしたがったパターンの概略的な図である。
【図７（ｃ）】この出願のある1つの実施形態にしたがったパターンの概略的な図である。
【図７（ｄ）】この出願のある1つの実施形態にしたがったパターンの概略的な図である。
【図８（ａ）】この出願のある1つの実施形態にしたがったパターンの概略的な図である。
【図８（ｂ）】この出願のある1つの実施形態にしたがったパターンの概略的な図である。
【図８（ｃ）】この出願のある1つの実施形態にしたがったパターンの概略的な図である。
【図８（ｄ）】この出願のある1つの実施形態にしたがったパターンの概略的な図である。
【図９】この出願のある1つの実施形態にしたがった参照信号送信方法の概略的なフローチャートである。
【図１０】この出願のある1つの実施形態にしたがった参照信号送信装置の概略的な構成図である。
【図１１】この出願のある1つの実施形態にしたがったネットワークデバイスの概略的な構成図である。
【図１２】この出願のある1つの実施形態にしたがった参照信号送信装置の概略的な構成図である。
【図１３】この出願のある1つの実施形態にしたがった端末の概略的な構成図である。
【発明を実施するための形態】
【００５９】
NRシステム、汎欧州ディジタル移動体通信システム(Global  System  for  Mobile  Communications,  GSM)、符号分割多元接続(Code  Division  Multiple  Access,  CDMA)システム、広帯域符号分割多元接続(Wideband  Code  Division  Multiple  Access,  WCDMA)システム、汎用パケット無線サービス(General  Packet  Radio  Service,  GPRS)システム、ロングタームエボリューション(Long  Term  Evolution,  LTE)システム、ロングタームエボリューションアドバンスト(Long  Term  Evolution  Advanced,  LTE-A)システム、ユニバーサル移動体通信システム(Universal  Mobile  Telecommunications  System,  UMTS)、進化型ロングタームエボリューション(evolved  Long  Term  Evolution,  eLTE)システム、5Gシステム、及び他の移動体通信システム等のさまざまな移動体通信システムに、この出願の複数の実施形態を適用してもよい。
【００６０】
図1は、この出願の実施形態に適用可能なネットワークアーキテクチャの概略的な図である。図1は、ネットワークデバイス及び端末を含んでいる。
【００６１】
以下の記載において、この出願の用語のうちのいくつかを説明して、当業者によるより良い理解を支援する。
【００６２】
(1)  端末:  ユーザ機器(User  Equipment,  UE)とも称され、例えば、無線接続機能を有するハンドヘルドデバイス又は車載型デバイス等のユーザに音声接続性及び/又はデータ接続性を提供するデバイスである。例えば、一般的な端末は、携帯電話、タブレットコンピュータ、ノートブックコンピュータ、パームトップコンピュータ、モバイルインターネットデバイス(mobile  Internet  device,  MID)、及び、スマート時計、スマートバンド、又は歩数計等のウェアラブルデバイスを含む。
【００６３】
(2)  ネットワークデバイス:  アクセスネットワークの中で無線インターフェイスによって1つ又は複数のセクタを介して端末と通信するデバイスである。基地局デバイスは、さらに、無線インターフェイスの属性管理を調整してもよい。ネットワークデバイスは、NR  gNB(gNodeB)、(NodeB又はeNB等の)一般的な基地局、新たな無線コントローラ(New  Radio  controller,  NR  controller)、集中化されたネットワーク要素(Centralized  Unit)、新たな無線基地局、リモート無線モジュール、ミクロ基地局、中継器(relay)、分散型ネットワーク要素(Distributed  Unit)、送信受信点(Transmission  Reception  Point,  TRP)、送信点(Transmission  Point,  TP)、又はいずれかの他の無線アクセスデバイスであってもよい。しかしながら、この出願のそれらの複数の実施態様は、これらには限定されない。
【００６４】
(3)  サブキャリア間隔:  周波数領域における基本単位である。例えば、LTEシステムにおいては、サブキャリア間隔は、15[kHz]である。
【００６５】
(4)  シンボル:  これらには限定されないが、直交周波数分割多重化(Orthogonal  Frequency  Division  Multiplexing,  OFDM)シンボル、散在符号多元接続(Sparse  Code  Multiple  Access,  SCMA)シンボル、フィルタリング直交周波数分割多重化(Filtered  Orthogonal  Frequency  Division  Multiplexing,  F-OFDM)シンボル、及び非直交多元接続(Non-Orthogonal  Multiple  Access,  NOMA)シンボルを含む。そのシンボルは、具体的には、実際の状況に基づいて決定されてもよく、本明細書においては、詳細は説明されない。
【００６６】
上記の説明を参照すると、図2は、この出願のある1つの実施形態にしたがった参照信号送信方法の概略的なフローチャートである。
【００６７】
図2を参照すると、その方法は、以下のステップを含む。
【００６８】
ステップ201:  ネットワークデバイスは、第1の参照信号の第1の構成及び第2の参照信号の第2の構成を決定し、第1の構成は、第1のサブキャリア間隔を含み、第2の構成は、第2のサブキャリア間隔を含む。
【００６９】
ステップ202:  ネットワークデバイスは、第1のサブバンドにおいて、第1の構成を満足する第1の参照信号を送信し、そして、第2のサブバンドにおいて、第2の構成を満足する第2の参照信号を送信し、第1のサブバンドのパラメータ構成は、第2のサブバンドのパラメータ構成とは異なる。
【００７０】
第1のサブキャリア間隔は、第1のサブバンドのサブキャリア間隔と同じであってもよく、又は、異なっていてもよいということに留意すべきである。このサブキャリア間隔は、具体的には、実際の状況に基づいて決定される。第2のサブキャリア間隔は、第2のサブバンドのサブキャリア間隔と同じであってもよく、又は、異なっていてもよい。
【００７１】
ステップ203:  端末は、第1のサブバンドにおいて、第1の構成を満足する第1の参照信号を受信し、そして、第2のサブバンドにおいて、第2の構成を満足する第2の参照信号を受信し、第1の構成は、第1のサブキャリア間隔を含み、第2の構成は、第2のサブキャリア間隔を含み、第1のサブバンドのパラメータ構成は、第2のサブバンドのパラメータ構成とは異なる。
【００７２】
ステップ204:  端末は、第1の参照信号及び第2の参照信号に基づいて、チャネル品質を個別にフィードバックし、そのチャネル品質は、例えば、プリコーディング行列指標PMI、チャネル品質指標、ランク指標RI、又は、参照信号受信電力RSRPである。
【００７３】
ステップ201において、第1の参照信号のタイプは、第2の参照信号のタイプと同じであってもよく、又は、異なっていてもよい。第1の参照信号のタイプが第2の参照信号のタイプと同じであるときに、第1の参照信号及び第2の参照信号の双方は、チャネル状態情報参照信号であってもよく、或いは、第1の参照信号及び第2の参照信号の双方は、チャネル状態情報参照信号又はセル特有参照信号と同様の参照信号であってもよい。
【００７４】
この出願のこの実施形態においては、第1の構成は、
第1の参照信号の送信期間、
1つの送信期間における第1の参照信号のオフセット、
第1の参照信号の第1のパターン、又は、第1の参照信号の時間周波数位置及び周波数領域位置、具体的には、スケジューリングされているリソースブロックの中の第1の参照信号の時間領域におけるシンボルインデックス及び周波数領域におけるキャリアインデックスであって、その第1のパターンは、固定されている時間周波数リソースにおける第1の参照信号の時間領域位置及び周波数領域位置を指し、その第1のパターンは、ゼロ電力リソースエレメント(Resource  Element,  RE)及び非ゼロ電力REのうちの1つ又は複数を含んでもよく、ゼロ電力REは、複数の異なるサブキャリアの間のガードバンドとして使用されてもよく、又は、電力バーストのために使用されて、参照信号の送信電力を改善してもよい、第1の参照信号の第1のパターン、
第1のサブキャリア間隔、
第1のサブバンドにおいて第1の参照信号が占有する帯域幅、及び、
第1のスイッチ識別子であって、その第1のスイッチ識別子は、端末が、前記第1のサブバンドにおいて第1の参照信号を受信するか否かを示すのに使用される、第1のスイッチ識別子、
のうちの1つ又は複数の項目をさらに含んでもよい。第1のスイッチ識別子が、端末が第1のサブバンドにおいて第1の参照信号を受信するということを示すときに、ネットワークデバイスが第1の参照信号を周期的に送信するか、又は、トリガ方式で第1の参照信号を送信するということが端末に示されてもよい。第1の参照信号の周期的な送信は、ネットワークデバイスが、スイッチがオフになるまで、周期及びオフセットに基づいて、第1の参照信号を継続して送信するということを意味し、起動及びトリガ方式による第1の参照信号の送信は、ネットワークデバイスが、各々のトリガにおいて第1の参照信号を1回のみ送信するということを意味する。
【００７５】
対応して、第2の構成は、
第2の参照信号の送信期間、
1つの送信期間における第2の参照信号のオフセット、
第2の参照信号の第2のパターン、又は、第2の参照信号の時間周波数位置及び周波数領域位置、具体的には、第2の参照信号の時間領域におけるシンボルインデックス及び周波数領域におけるキャリアインデックスであって、その第2のパターンは、固定されている時間周波数リソースにおける第2の参照信号の時間領域位置及び周波数領域位置を指す、第2の参照信号の第2のパターン、
第2のサブキャリア間隔、
第2のサブバンドにおいて第2の参照信号が占有する帯域幅、及び、
第2のスイッチ識別子であって、その第2のスイッチ識別子は、端末が、第2のサブバンドにおいて第2の参照信号を受信するか否かを示すのに使用される、第2のスイッチ識別子、
のうちの1つ又は複数の項目をさらに含んでもよい。
【００７６】
この出願のこの実施形態においては、第1の参照信号の第1のパターン及び第2の参照信号の第2のパターンは、個別に構成されてもよく、又は、同じパターンとして構成されてもよいということに留意すべきである。本明細書における個別の構成は、複数の異なるリソース部分において制御信号と参照信号とを区別するために、複数の異なるリソース部分によって送信される参照信号のために、複数の異なるシンボルインデックス及び複数の周波数領域密度を使用することが可能であるということを意味する。
【００７７】
リソース部分は、1つのサブバンドのうちの一部のリソースであってもよく、1つのサブバンドのリソースであってもよく、又は、複数のサブバンドを含むリソースであってもよいということに留意すべきである。
【００７８】
上記の説明を参照すると、第1の参照信号の送信期間は、第2の参照信号の送信期間と同じであってもよく、又は、異なっていてもよい。このことは、この出願のこの実施態様においては限定されない。対応して、1つの送信期間における第1の参照信号のオフセットは、1つの送信期間における第2の参照信号のオフセットと同じであってもよく、又は、異なっていてもよい。1つの送信期間における第1の参照信号のオフセットは、1つの送信期間における第1の参照信号の時間領域位置とその送信期間の開始時点との間のオフセットであってもよい。例えば、1つの送信期間は、10個のスロットを含む。第1の参照信号が6番目のスロットで送信される場合に、1つの送信期間における第1の参照信号のオフセットは、5個のスロットとなる。1つの送信期間における第2の参照信号のオフセットについては、上記の説明を参照するべきである。
【００７９】
加えて、この出願のこの実施形態においては、送信期間及びオフセットは、サブフレーム、スロット、サブスロット、又は、短い送信時間間隔によって測定されてもよい。
【００８０】
ネットワークデバイスは、複数の方式によって第1のサブキャリア間隔及び第2のサブキャリア間隔を決定してもよい。第1の可能な実装において、第1のサブキャリア間隔及び第2のサブキャリア間隔は、ネットワークデバイス及び端末によってあらかじめ合意されていてもよい。この場合には、ネットワークデバイスは、第1のサブキャリア間隔及び第2のサブキャリア間隔を直接的に決定してもよい。
【００８１】
選択的に、ネットワークデバイス及び端末は、第1のサブキャリア間隔が第1のサブバンドの中の物理ダウンリンク共有チャネル(Physical  Downlink  Shared  Channel,  PDSCH)のサブキャリア間隔と同じであるということ、及び、第2のサブキャリア間隔が第2のサブバンドの中のPDSCHのサブキャリア間隔と同じであるということをあらかじめ合意してもよい。この場合には、ステップ203において、端末は、第1のサブキャリア間隔として第1のサブバンドの中のPDSCHのサブキャリア間隔を直接的に使用し、第2のサブキャリア間隔として第2のサブバンドの中のPDSCHのサブキャリア間隔を使用してもよい。
【００８２】
選択的に、ネットワークデバイス及び端末は、第1のサブキャリア間隔が第2のサブキャリア間隔と同じであり、第1のサブキャリア間隔が第1のサブバンドの中のPDSCHのサブキャリア間隔と同じであるということをあらかじめ合意してもよい。この場合には、ステップ203において、端末は、第1のサブキャリア間隔及び第2のサブキャリア間隔として、第1のサブバンドの中のPDSCHのサブキャリア間隔を直接的に使用してもよい。この出願のこの実施形態においては、以下で説明を容易にするために、第1のサブバンドのサブキャリア間隔は、第1のサブバンドの中のPDSCHのサブキャリア間隔であってもよく、そのサブキャリア間隔は、第1のサブバンドのサブキャリア間隔と称されるということに留意すべきである。対応して、以下で説明を容易にするために、第2のサブバンドのサブキャリア間隔は、第2のサブバンドの中のPDSCHのサブキャリア間隔であってもよく、そのサブキャリア間隔は、第2のサブバンドのサブキャリア間隔と称される。
【００８３】
この実装において、第1のサブキャリア間隔は、第2のサブキャリア間隔と同じであってもよく、又は、異なっていてもよいということに留意すべきである。このことは、具体的には、実際の状況に基づいて決定され、この出願のこの実施形態においては限定されない。
【００８４】
例えば、第1の構成は、第1のパターンをさらに含み、第1のパターンは、ネットワークデバイス及び端末によってあらかじめ合意されている。ネットワークデバイス及び端末は、パターン又はパターンセットをあらかじめ合意していてもよい。ネットワーク機器は、端末機器にパターン番号を送信する。この場合には、端末は、あらかじめ合意されている第1のパターンによって、又は、パターン番号に対応するパターンに基づいて、第1の参照信号を直接的に受信してもよい。
【００８５】
第2の可能な実装において、ネットワークデバイスは、第1のサブバンドのサブキャリア間隔に基づいて、第1のサブキャリア間隔及び第2のサブキャリア間隔を決定してもよい。
【００８６】
具体的には、ネットワークデバイスは、第1のサブキャリア間隔として第1の帯域のサブキャリア間隔を使用し、そして、第2のサブキャリア間隔として第1の帯域のサブキャリア間隔を使用してもよい。
【００８７】
この実装においては、第1のサブキャリア間隔は、第2のサブキャリア間隔と同じである。
【００８８】
第3の可能な実装において、ネットワークデバイスは、第1のサブバンドのサブキャリア間隔に基づいて、第1のサブキャリア間隔を決定し、そして、第2のサブバンドのサブキャリア間隔に基づいて、第2のサブキャリア間隔を決定してもよい。
【００８９】
具体的には、ネットワークデバイスは、第1のサブキャリア間隔として第1の帯域のサブキャリア間隔を使用し、そして、第2のサブキャリア間隔として第2の帯域のサブキャリア間隔を使用してもよい。この実装においては、第1のサブキャリア間隔は、第2のサブキャリア間隔と同じであってもよく、又は、異なっていてもよい。
【００９０】
第2の可能な実装及び第3の可能な実装においては、第1の構成及び第2の構成は、上位層シグナリング又は物理層シグナリングを使用することによって、ネットワークデバイスによって端末に送信されてもよい。具体的には、ネットワークデバイスは、上位層シグナリング又は物理層シグナリングを使用することによって、第1のサブバンドにおいて第1の構成及び第2の構成を送信してもよく、又は、上位層シグナリング又は物理層シグナリングを使用することによって、第2のサブバンドにおいて第1の構成及び第2の構成を送信してもよい。
【００９１】
この出願のこの実施形態においては、上位層シグナリングは、無線リソース制御(Radio  Resource  Control,  RRC)シグナリング又はメディアアクセス制御(Media  Access  Control,  MAC)制御要素(Control  Element,  CE)シグナリング等のシグナリングであってもよい。物理層シグナリングは、ダウンリンク制御情報(Downlink Control Information、DCI)等のシグナリングであってもよい。
【００９２】
この場合には、ステップ203において、端末は、受信した上位層シグナリング又は物理層シグナリングを使用することによって、第1の構成及び第2の構成を決定してもよい。
【００９３】
この出願のこの実施形態においては、第1のサブバンドのサブキャリア間隔は、第2のサブバンドのサブキャリア間隔と同じであってもよく、又は、異なっていてもよいということに留意すべきである。このことは、この出願のこの実施態様においては限定されない。
【００９４】
この出願のこの実施形態においては、第1のサブキャリア間隔は、第1のサブバンドのサブキャリア間隔と同じであってもよく、又は、異なっていてもよい。このことは、具体的には、実際の状況に基づいて決定される。それに対応して、第2のサブキャリア間隔は、第2のサブバンドのサブキャリア間隔と同じであってもよく、又は、異なっていてもよい。
【００９５】
第1のサブキャリア間隔が第1のサブバンドのサブキャリア間隔とは異なるときに、第1のパターンセットは、第1のサブバンドのサブキャリア間隔と第1のサブキャリア間隔とのマッピング関係を有してもよい。そのマッピング関係は、事前に合意されていてもよく、又は、ネットワークデバイスによって設定され、そして、端末に通知されてもよい。第1のパターンセットは、少なくとも1つのパターンを含んでいる。この場合に、第1の構成が第1のパターンを含むときは、ネットワークデバイスは、最初に、第1のパターンセットを決定し、その第1のパターンセットは、第1のサブバンドのサブキャリア間隔と第1のサブキャリア間隔とのマッピング関係を有し、その第1のパターンセットから、第1のパターンとして設定されるパターンを選択してもよい。第2のパターンは、また、上記の方式で決定されてもよく、詳細は、本明細書においては説明されない。
【００９６】
ステップ202において、周波数領域において第1のサブバンド及び第2のサブバンドに対して、周波数分割多重化(Frequency  Division  Multiplexing,  FDM)を実行してもよい。代替的に、時間領域において第1のサブバンド及び第2のサブバンドに対して、時分割多重化(Time  Division  Multiplexing,  TDM)を実行してもよい。代替的に、FDMは、周波数領域において第1のサブバンド及び第2のサブバンドに対して実行され、TDMは、時間領域において第1のサブバンド及び第2のサブバンドに対して実行される。
【００９７】
この出願のこの実施形態においては、ネットワークデバイスは、周波数領域の中で1つのキャリアをN個のサブバンドに分割してもよく、それらのサブバンドのすべてのパラメータ構成は異なっているということに留意すべきであり、Nは、1以上の正の整数である。ネットワークデバイスは、N個のサブバンドの各々において1つ又は複数の端末に参照信号を送信してもよく、送信された参照信号のすべての構成は、同一であってもよく、又は、異なっていてもよい。加えて、ネットワークデバイスは、各々のキャリアにおけるサブバンドに番号を付してもよい。
【００９８】
上記の説明を参照すると、第1のサブバンド及び第2のサブバンドは、同じキャリアに存在していてもよく、又は、複数の異なるキャリアに存在していてもよい。説明を容易にするために、この出願の複数の実施態様のうちのいくつかにおいて、第1のサブバンド及び第2のサブバンドは、同じキャリアに存在する。一方で、第1のサブバンド及び第2のサブバンドが複数の異なるキャリアに存在するシナリオにおいては、同じ方法を使用してもよく、本明細書においては、詳細は説明されない。
【００９９】
加えて、この出願のこの実施形態においては、各々のサブバンドのパラメータ構成は、
サブキャリア間隔、
キャリア周波数、
サブバンド帯域幅、
システム帯域幅の中のサブバンドの位置、
サイクリックプレフィックス(Cyclic  prefix,  CP)タイプ、及び、
サブバンド番号、
のうちの1つ又は複数の項目を含む。
【０１００】
ネットワークデバイスは、上位層シグナリング又は物理層シグナリングを使用することによって、第1のサブバンドのパラメータ構成を送信してもよい。同様に、ネットワークデバイスは、上位層シグナリング又は物理層シグナリングを使用することによって、第2のサブバンドのパラメータ構成を送信してもよい。
【０１０１】
この出願のこの実施形態においては、ネットワークデバイスは、さらに、マスター情報ブロック(Master  Information  Block,  MIB)又はシステム情報ブロック(System  Information  Block,  SIB)を使用することによって、端末にサブバンドのすべての構成を送信してもよい。
【０１０２】
ステップ204において、端末がチャネル品質をフィードバックする特定のプロセスについては、既存の通信規格の説明を参照するべきである。本明細書においては、詳細は説明されない。
【０１０３】
上記のプロセスは、複数の特定の実施形態を参照して以下で詳細に説明される。以下の説明においては、第1のサブバンド及び第2のサブバンドは、同じキャリアに存在している。第1のサブバンド及び第2のサブバンドが複数の異なるキャリアに存在している場合には、以下の説明を参照するべきである。本明細書においては、詳細は説明されない。
【０１０４】
第1の可能なシナリオ:
【０１０５】
このシナリオにおいては、ネットワークデバイスは、第1のサブバンド及び第2のサブバンドにおいて、端末ユーザに、例えば、CSI-RS等の参照信号を送信する。第1のサブバンドのサブキャリア間隔は、第2のサブバンドのサブキャリア間隔とは異なる。第1のサブバンドのサブキャリア間隔は、15[kHz]であり、第2のサブバンドのサブキャリア間隔は、30[kHz]である。第1のサブバンド及び第2のサブバンドは、システム帯域幅の一部であり、連続的な帯域幅であってもよく、又は、複数の不連続的な帯域幅を含んでいてもよい。第1のサブキャリア間隔は、第2のサブキャリア間隔と同じである。第1のサブキャリア間隔及び第2のサブキャリア間隔は、第1のサブバンドのサブキャリア間隔に基づいて、ネットワークデバイスによって決定され、そして、15[kHz]である。第1のサブバンド及び第2のサブバンドに対して、FMD、TDM、又はFDM及びTDMを実行してもよい。同じサブキャリア間隔、すなわち、第1のサブキャリア間隔を有する、例えば、CSI-RS等の第1の参照信号は、複数の異なるサブキャリア間隔を有するサブバンドにおいて送信される。詳細については、図3を参照するべきである。図3は、この出願のある1つの実施形態にしたがった参照信号の概略的な図である。
【０１０６】
図3において、第1の参照信号の構成は、CSI-RSのパターン、CSI-RSのサブキャリア間隔、CSI-RSの時間領域位置及び周波数領域位置、第1のサブバンドにおいてCSI-RSが占有する帯域幅、第1のサブバンドにおけるCSI-RSの送信期間及びオフセット、及び、CSI-RSが第1のサブバンドにおいて送信されるか否かを示す識別子のうちの1つ又は複数の項目を含む。CSI-RSのパターンは、固定されている時間周波数リソースにおけるCSI-RSの周波数領域におけるキャリアインデックス及び時間領域におけるシンボルインデックスであってもよく、その固定されている時間周波数リソースは、リソースブロック、リソースブロック対、又は、リソースブロックグループであってもよい。CSI-RSの時間領域位置及び周波数領域位置は、第1のサブバンド及び/又は第2のサブバンドにおけるCSI-RSのリソースブロックのインデックス、及び、そのリソースブロックの中に存在する時間領域シンボルインデックス及び周波数領域キャリアインデックスであってもよい。例えば、ネットワークデバイスが送信するCSI-RSの時間周波数位置は、{リソースブロック0、時間領域シンボルインデックス2、及び、周波数領域キャリアインデックス5及び6}、{リソースブロック5、時間領域シンボルインデックス2、及び、周波数領域キャリアインデックス5及び6}、又は、{リソースブロック8、時間領域シンボルインデックス0、及び、周波数領域キャリアインデックス7}のセットである。リソースブロックは、ある1つの粒度として第1のサブキャリア間隔を使用することによって定義される。端末側は、第1のサブバンドにおいて参照信号構成情報を受信し、そして、第1の参照信号の第1のサブキャリア間隔及び時間周波数位置、ある特定の帯域幅において参照信号を受信するか否か、ネットワークデバイスに対応するサブバンド、及び、参照信号受信期間及びオフセットを決定する。
【０１０７】
CSI-RSが第1のサブバンドにおいて送信されるか否かを示す識別子は、端末側がそのサブバンドにおいて第1の参照信号を受信するか否かを示すのに使用される。その識別子は、端末側が第1の参照信号を周期的に受信するということを示してもよく、又は、端末側がトリガ方式で第1の参照信号を受信するということを示してもよい。例えば、その識別子が、端末側が第1の参照信号を周期的に受信するということを示すときに、1ビットのリソース識別子"rsflag"において、端末側がそのサブバンドにおいて第1の参照信号を受信しないということを示すのに1を使用してもよく、端末側がそのサブバンドにおいて第1の参照信号を周期的に受信するということを示すのに0を使用してもよい。
【０１０８】
図3において、第1の参照信号の送信期間は、第2の参照信号の送信期間と同じであってもよく、1つの送信期間における第1の参照信号のオフセットは、1つの送信期間における第2の参照信号のオフセットと同じであってもよい。図3に関して、詳細は、図4に示されている。図4において、第1の参照信号の送信期間及び第2の参照信号の送信期間は、ともに、5であり、1つの送信期間における第1の参照信号のオフセット及び1つの送信期間における第2の参照信号のオフセットは、ともに、0である。
【０１０９】
図3において、第1の参照信号の送信期間は、第2の参照信号の送信期間と異なってもよく、1つの送信期間における第1の参照信号のオフセットは、1つの送信期間における第2の参照信号のオフセットと異なってもよい。図3に関しては、詳細は、図5に示されている。図5において、第1の参照信号の送信期間は、5であり、1つの送信期間における第1の参照信号のオフセットは、0である。第2の参照信号の送信期間は、4であり、1つの送信期間における第2の参照信号のオフセットは、1である。
【０１１０】
もちろん、上記のことは、ある1つの例であるにすぎず、さらに、他の場合も存在する。例えば、第1の参照信号の送信期間は、第2の参照信号の送信期間と同じであり、1つの送信期間における第1の参照信号のオフセットは、1つの送信期間における第2の参照信号のオフセットとは異なる。本明細書においては、詳細は説明されない。
【０１１１】
説明のためのある1つの例として第1のサブバンド及び第2のサブバンドを使用しているにすぎないということに留意すべきである。第1のサブキャリア間隔を有する第1の参照信号を送信するのに使用されるサブバンドの数は、システム帯域幅におけるサブバンドのすべての数以下であってもよい。
【０１１２】
このシナリオにおいては、第1のサブキャリア間隔は、第1のサブバンドのサブキャリア間隔と異なっていてもよく、第2のサブキャリア間隔は、第2のサブバンドのサブキャリア間隔と異なっていてもよい。本明細書においては、詳細は説明されない。
【０１１３】
第2の可能なシナリオ:
【０１１４】
このシナリオにおいては、ネットワークデバイスは、第1のサブバンド及び第2のサブバンドにおいて、端末ユーザに、例えば、CSI-RS等の参照信号を送信する。第1のサブバンドのサブキャリア間隔は、第2のサブバンドのサブキャリア間隔とは異なる。第1のサブバンドのサブキャリア間隔は、15[kHz]であり、第2のサブバンドのサブキャリア間隔は、30[kHz]である。第1のサブキャリア間隔は、第2のサブキャリア間隔とは異なる。第1のサブキャリア間隔は、第1のサブバンドのサブキャリア間隔に基づいて、ネットワークデバイスによって決定され、15[kHz]である。第2のサブキャリア間隔は、第2のサブバンドのサブキャリア間隔に基づいて、ネットワークデバイスによって決定され、30[kHz]である。詳細については、図6を参照するべきである。図6は、この出願のある1つの実施形態にしたがった参照信号の概略的な図である。
【０１１５】
図6において、第1の参照信号の構成は、CSI-RSのパターン、CSI-RSのサブキャリア間隔、CSI-RSの時間領域位置及び周波数領域位置、第1のサブバンドにおいてCSI-RSが占有する帯域幅、第1のサブバンドにおけるCSI-RSの送信期間及びオフセット、CSI-RSが第1のサブバンドにおいて送信されるか否かを示す識別子、CSI-RSサブバンドのサブキャリア間隔、及び、サブバンド番号のうちの1つ又は複数の項目を含む。端末は、第1の参照信号構成情報の中で搬送される第1のサブキャリア間隔に基づいて、第1のサブキャリア間隔を取得してもよく、又は、サブバンドのサブキャリア間隔に基づいて、第1のサブキャリア間隔を決定してもよい。ネットワークデバイスは、MIB又はSIBを使用することによって、端末側に、システム帯域幅におけるサブバンドのうちのすべてのサブバンドのサブキャリア間隔、及び、システム帯域幅におけるサブバンドのうちのすべてのサブバンドの位置及び帯域幅をブロードキャストしてもよい。端末側は、サブバンドの番号に基づいて、サブバンドのサブキャリア間隔を取得することが可能である。
【０１１６】
端末側は、第1のサブバンドにおいて参照信号の構成情報を受信し、そして、各々のサブバンドにおける参照信号の第1のサブキャリア間隔、参照信号のパターン、参照信号を受信したか否か、参照信号の時間周波数位置、及び、送信期間及びオフセットを決定する。
【０１１７】
このシナリオにおいては、第1のサブキャリア間隔は、第1のサブバンドのサブキャリア間隔と異なっていてもよく、第2のサブキャリア間隔は、第2のサブバンドのサブキャリア間隔と異なっていてもよい。本明細書においては、詳細は説明されない。
【０１１８】
第3の可能な実装:
【０１１９】
このシナリオにおいては、ネットワークデバイスは、第1のサブバンド及び第2のサブバンドにおいて、端末に、例えば、CSI-RS等の参照信号を送信する。第1のサブキャリア間隔は、第1のサブバンドのサブキャリア間隔とは異なり、第2のサブキャリア間隔は、第2のサブバンドのサブキャリア間隔とは異なる。第1のパターンセットは、第1のサブバンドのサブキャリア間隔と第1のサブキャリア間隔とのマッピング関係を有し、第2のパターンセットは、第2のサブバンドのサブキャリア間隔と第2のサブキャリア間隔とのマッピング関係を有する。
【０１２０】
例えば、第1のサブバンドのサブキャリア間隔が15[kHz]であり、第1のサブキャリア間隔が30[kHz]であるときに、図7(a)において、第1のサブバンドのサブキャリア間隔と第1のサブキャリア間隔とのマッピング関係を有する第1のパターンを示すことができる。図7(a)においては、第1のパターンは、ゼロ電力RE及び非ゼロ電力REを含む。
【０１２１】
例えば、第1のサブバンドのサブキャリア間隔が15[kHz]であり、第1のサブキャリア間隔が60[kHz]であるときに、図7(b)において、第1のサブバンドのサブキャリア間隔と第1のサブキャリア間隔とのマッピング関係を有する第1のパターンを示すことができる。図7(b)においては、第1のパターンは、ゼロ電力RE及び非ゼロ電力REを含む。
【０１２２】
例えば、第1のサブバンドのサブキャリア間隔が60[kHz]であり、第1のサブキャリア間隔が15[kHz]であるときに、図7(c)において、第1のサブバンドのサブキャリア間隔と第1のサブキャリア間隔とのマッピング関係を有する第1のパターンを示すことができる。図7(c)においては、第1のパターンは、ゼロ電力RE及び非ゼロ電力REを含む。
【０１２３】
例えば、第1のサブバンドのサブキャリア間隔が30[kHz]であり、第1のサブキャリア間隔が15[kHz]であるときに、図7(d)において、第1のサブバンドのサブキャリア間隔と第1のサブキャリア間隔とのマッピング関係を有する第1のパターンを示すことができる。図7(d)においては、第1のパターンは、ゼロ電力RE及び非ゼロ電力REを含む。
【０１２４】
もちろん、第1のパターンは、非ゼロ電力REのみを含んでもよい。詳細は、図8(a)乃至図8(d)に示されている。図8(a)乃至図8(d)は、第1のパターンの概略的な図であり、その第1のパターンは、第1のサブバンドのサブキャリア間隔と第1のサブキャリア間隔とのマッピング関係を有する。図8(a)においては、第1のサブバンドのサブキャリア間隔は、15[kHz]であり、第1のサブキャリア間隔は、30[kHz]である。図8(b)においては、第1のサブバンドのサブキャリア間隔は、15[kHz]であり、第1のサブキャリア間隔は、60[kHz]である。図8(c)においては、第1のサブバンドのサブキャリア間隔は、60[kHz]であり、第1のサブキャリア間隔は、15[kHz]である。図8(d)においては、第1のサブバンドのサブキャリア間隔は、30[kHz]であり、第1のサブキャリア間隔は、15[kHz]である。
【０１２５】
第1の参照信号の構成は、CSI-RSのパターン、CSI-RSのサブキャリア間隔、CSI-RSの時間領域位置及び周波数領域位置、第1のサブバンドにおいてCSI-RSが占有する帯域幅、第1のサブバンドにおけるCSI-RSの送信期間及びオフセット、CSI-RSが第1のサブバンドにおいて送信されるか否かを示す識別子、CSI-RSサブバンドのサブキャリア間隔、及び、サブバンド番号のうちの1つ又は複数の項目を含む。CSI-RSのパターンは、第1のパターンセットの中のパターンである。
【０１２６】
端末側は、第1のサブバンドにおいて参照信号の構成情報を受信し、そして、各々のサブバンドにおける参照信号の第1のサブキャリア間隔、参照信号のパターン、参照信号を受信したか否か、参照信号の時間周波数位置、及び、送信期間及びオフセットを決定する。
【０１２７】
このシナリオにおいては、第1のサブキャリア間隔は、第1のサブバンドのサブキャリア間隔と同じであってもよく、第2のサブキャリア間隔は、第2のサブバンドのサブキャリア間隔と同じであってもよい。本明細書においては、詳細は説明されない。
【０１２８】
もちろん、第1の可能なシナリオ乃至第3の可能なシナリオは、ある1つの例であるにすぎず、他のシナリオが存在してもよい。詳細については、上記の説明を参照するべきである。本明細書においては、詳細は繰り返しては説明されない。
【０１２９】
上記の記載は、ダウンリンク参照信号を送信する方法を説明している。この出願の複数の実施形態による方法は、さらに、アップリンク参照信号の送信に適用可能である。具体的には、図9は、この出願のある1つの実施形態にしたがった参照信号送信方法の概略的なフローチャートである。
【０１３０】
図9を参照すると、その方法は、以下のステップを含む。
【０１３１】
ステップ901:  ネットワークデバイスは、第3の参照信号の第3の構成及び第4の参照信号の第4の構成を決定し、第3の構成は、第3のサブキャリア間隔を含み、第4の構成は、第4のサブキャリア間隔を含み、第3のサブバンドのパラメータ構成は、第4のサブバンドのパラメータ構成とは異なる。
【０１３２】
ステップ902:  ネットワークデバイスは、端末に第3の構成及び第4の構成を送信する。
【０１３３】
ステップ903:  端末は、ネットワークデバイスが送信した第3の構成及び第4の構成を受信する。
【０１３４】
第3の構成は、第3のサブキャリア間隔を含み、第4の構成は、第4のサブキャリア間隔を含み、第3のサブバンドのパラメータ構成は、第4のサブバンドのパラメータ構成とは異なる。
【０１３５】
ステップ904:  端末は、第3のサブバンドにおいて、第3の構成を満足する第3の参照信号を送信し、第4のサブバンドにおいて、第4の構成を満足する第4の参照信号を送信する。
【０１３６】
ステップ901乃至ステップ904において、第3の参照信号及び第4の参照信号の双方は、各々、チャネル状態情報参照信号又はセル特有参照信号であってもよく、又は、第3の参照信号及び第4の参照信号の双方は、チャネル状態情報参照信号又はセル特有参照信号と同様の参照信号であってもよい。第3の参照信号及び第4の参照信号に関するその他の内容については、ステップ201乃至ステップ204の説明を参照するべきである。本明細書においては、詳細は繰り返しては説明されない。
【０１３７】
ステップ901乃至ステップ904において、第3の構成は、
第3の参照信号の送信期間、
1つの送信期間における第3の参照信号のオフセット、
第3の参照信号の第3のパターン、又は、第3の参照信号の時間周波数位置及び周波数領域位置、具体的には、スケジューリングされているリソースブロックにおいて第3の参照信号の時間領域におけるシンボルインデックス及び周波数領域におけるキャリアインデックスである、第3の参照信号の第3のパターン、
第3のサブバンドにおいて第3の参照信号が占有する帯域幅、
第3のスイッチ識別子であって、その第3のスイッチ識別子は、端末が、第3のサブバンドにおいて第3の参照信号を受信するか否かを示すのに使用される、第3のスイッチ識別子、及び、
第3のサブバンドの番号、
のうちの1つ又は複数の項目をさらに含んでもよい。
【０１３８】
上記の内容の詳細については、ステップ201乃至ステップ204の第1の構成又は第2の構成の説明を参照するべきである。本明細書においては、詳細は繰り返しては説明されない。
【０１３９】
それに対応して、第4の構成の特定の内容については、第3の構成の説明、及び、ステップ201乃至ステップ204の第1の構成又は第2の構成の説明を参照するべきである。本明細書においては、詳細は繰り返しては説明されない。
【０１４０】
ステップ901乃至ステップ904において、第3のサブバンドのパラメータ構成及び第4のサブバンドのパラメータ構成の特定の内容については、ステップ201乃至ステップ204の説明を参照するべきである。本明細書においては、詳細は繰り返しては説明されない。
【０１４１】
ステップ901乃至ステップ904において、第3のサブキャリア間隔は、第4のサブキャリア間隔と同じであってもよく、又は、異なっていてもよい。詳細については、ステップ201乃至ステップ204の第1のサブキャリア間隔及び第2のサブキャリア間隔の説明を参照するべきである。本明細書においては、詳細は繰り返しては説明されない。
【０１４２】
ステップ901乃至ステップ904において、第3のサブバンド及び第4のサブバンドは、同じキャリアに位置していてもよく、又は、複数の異なるキャリアに位置していてもよい。詳細については、ステップ201乃至ステップ204の説明を参照するべきである。本明細書においては、詳細は繰り返しては説明されない。
【０１４３】
同じ技術的概念に基づいて、この出願のある1つの実施形態は、さらに、参照信号送信装置を提供し、その装置は、上記の方法の実施形態を実行することが可能である。
【０１４４】
図10は、この出願のある1つの実施形態にしたがった参照信号送信装置の概略的な構成図である。
【０１４５】
図10を参照すると、その装置は、
第1の参照信号の第1の構成及び第2の参照信号の第2の構成を決定するように構成される処理ユニット1001であって、第1の構成は、第1のサブキャリア間隔を含み、第2の構成は、第2のサブキャリア間隔を含む、処理ユニット1001と、
第1のサブバンドにおいて、第1の構成を満足する第1の参照信号を送信し、そして、第2のサブバンドにおいて、第2の構成を満足する第2の参照信号を送信する、ように構成されるトランシーバーユニット1002と、を含み、
第1のサブバンドのパラメータ構成は、第2のサブバンドのパラメータ構成とは異なる。
【０１４６】
選択的に、パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【０１４７】
選択的に、処理ユニット1001は、特に、
第1のサブバンドのサブキャリア間隔に基づいて、第1のサブキャリア間隔及び第2のサブキャリア間隔を決定するように構成されるか、又は、
第1のサブバンドのサブキャリア間隔に基づいて、第1のサブキャリア間隔を決定し、そして、第2のサブバンドのサブキャリア間隔に基づいて、第2のサブキャリア間隔を決定する、ように構成される。
【０１４８】
選択的に、第1の構成は、第1の参照信号の第1のパターン、又は、第1の参照信号の時間周波数位置及び周波数領域位置をさらに含み、第1のパターンは、固定されている時間周波数リソースにおける第1の参照信号の時間領域位置及び周波数領域位置を指す。
【０１４９】
選択的に、処理ユニット1001は、特に、
第1のサブバンドのサブキャリア間隔と第1のサブキャリア間隔とのマッピング関係を有する第1のパターンセットを決定し、そして、第1のパターンセットから、第1のパターンとしてパターンを選択する、ように構成される。
【０１５０】
選択的に、第1のパターンは、ゼロ電力リソースエレメントRE及び非ゼロ電力REのうちの1つ又は複数を含む。
【０１５１】
選択的に、トランシーバーユニット1002は、さらに、
第1のスイッチ識別子を送信するように構成され、第1のスイッチ識別子は、端末が、第1のサブバンドにおいて第1の参照信号を受信するか否かを示すのに使用される。
【０１５２】
選択的に、第1の構成は、第1の参照信号の送信期間をさらに含み、第2の構成は、第2の参照信号の送信期間をさらに含む。
【０１５３】
上記のユニットの分割は、論理的な機能の分割であるにすぎないということを理解すべきである。実際の実装においては、それらの複数のユニットのうちのすべて又は一部を一体化して、1つの物理的な実体としてもよく、或いは、それらの複数のユニットは、物理的に分離されていてもよい。この出願のこの実施形態においては、トランシーバーユニット1002は、トランシーバーによって実装されてもよく、処理ユニット1001は、プロセッサによって実装されてもよい。図11に示されているように、ネットワークデバイス1100は、プロセッサ1101、トランシーバー1102、及びメモリ1103を含んでもよい。メモリ1103は、ネットワークデバイス1100が工場から配送されるときにあらかじめインストールされているプログラム/コードを格納するように構成されてもよく、又は、プロセッサ1101によって実行されるコード等を格納してもよい。
【０１５４】
同じ技術的概念に基づいて、この出願のある1つの実施形態は、さらに、参照信号受信装置を提供し、その装置は、上記の方法の実施形態を実行することが可能である。
【０１５５】
図12は、この出願のある1つの実施形態にしたがった参照信号受信装置の概略的な構成図である。
【０１５６】
図12を参照すると、その装置は、
第1のサブバンドにおいて、第1の構成を満足する第1の参照信号を受信し、そして、第2のサブバンドにおいて、第2の構成を満足する第2の参照信号を受信する、ように構成されるトランシーバーユニット1201であって、第1の構成は、第1のサブキャリア間隔を含み、第2の構成は、第2のサブキャリア間隔を含み、第1のサブバンドのパラメータ構成は、第2のサブバンドのパラメータ構成とは異なる、トランシーバーユニット1201と、
第1の参照信号及び第2の参照信号に基づいて、チャネル品質を個別にフィードバックするように構成される処理ユニット1202と、を含む。
【０１５７】
選択的に、パラメータ構成は、
サブキャリア間隔、
キャリア周波数、
サブバンド帯域幅、
システム帯域幅の中のサブバンドの位置、及び、
サイクリックプレフィックスCPタイプ、
のうちの1つ又は複数の項目を含む。
【０１５８】
選択的に、第1のサブキャリア間隔及び第2のサブキャリア間隔は、第1のサブバンドのサブキャリア間隔を使用することによって決定されるか、又は、
第1のサブキャリア間隔は、第1のサブバンドのサブキャリア間隔を使用することによって決定され、第2のサブキャリア間隔は、第2のサブバンドのサブキャリア間隔を使用することによって決定される。
【０１５９】
選択的に、第1の構成は、第1の参照信号の第1のパターン、又は、第1の参照信号の時間周波数位置及び周波数領域位置をさらに含み、第1のパターンは、固定されている時間周波数リソースにおける第1の参照信号の時間領域位置及び周波数領域位置を指す。
【０１６０】
選択的に、第1のパターンは、ゼロ電力リソースエレメントRE及び非ゼロ電力REのうちの1つ又は複数を含む。
【０１６１】
選択的に、トランシーバーユニット1201は、さらに、
ネットワークデバイスが送信した第1のスイッチ識別子を受信し、そして、
第1のスイッチ識別子に基づいて、第1のサブバンドにおいて第1の参照信号を受信するべきであるか否かを決定する、ように構成される。
【０１６２】
選択的に、第1の構成は、第1の参照信号の送信期間をさらに含み、第2の構成は、第2の参照信号の送信期間をさらに含む。
【０１６３】
上記のユニットの分割は、論理的な機能の分割であるにすぎないということを理解すべきである。実際の実装においては、それらの複数のユニットのうちのすべて又は一部を一体化して、1つの物理的な実体としてもよく、或いは、それらの複数のユニットは、物理的に分離されていてもよい。この出願のこの実施形態においては、トランシーバーユニット1201は、トランシーバーによって実装されてもよく、処理ユニット1202は、プロセッサによって実装されてもよい。図13に示されているように、端末1300は、プロセッサ1301、トランシーバー1302、及びメモリ1303を含んでもよい。メモリ1303は、端末1300が工場から配送されるときにあらかじめインストールされているプログラム/コードを格納するように構成されてもよく、又は、プロセッサ1301によって実行されるコード等を格納してもよい。
【０１６４】
トランシーバーは、有線トランシーバー、無線トランシーバー、又は、それらの組み合わせであってもよい。例えば、有線トランシーバーは、イーサーネットインターフェイスであってもよい。イーサーネットインターフェイスは、光インターフェイス、電気的なインターフェイス、又は、それらの組み合わせであってもよい。例えば、無線トランシーバーは、無線ローカルエリアネットワークトランシーバー、セルラネットワークトランシーバー、又は、それらの組み合わせであってもよい。プロセッサは、中央処理ユニット(英文:  central  processing  unit,  略称:  CPU)、ネットワークプロセッサ(英文:  network  processor,  略称:  NP)、又は、CPU及びNPの組み合わせであってもよい。プロセッサ1301は、ハードウェアチップをさらに含んでもよい。ハードウェアチップは、特定用途向け集積回路(英文:  application-specific  integrated  circuit,  略称:  ASIC)、プログラム可能な論理デバイス(英文:  programmable  logic  device,  略称:  PLD)、又は、それらの組み合わせであってもよい。PLDは、結合型のプログラム可能な論理デバイス(英文:  complex  programmable  logic  device,  略称:  CPLD)、フィールドプログラマブルゲートアレイ(英文:  field-programmable  gate  array,  略称:  FPGA)、汎用アレイ論理(英文:  generic  array  logic,  略称:  GAL)、又はそれらの任意の組み合わせであってもよい。メモリは、例えば、ランダムアクセスメモリ(英文:  random  access  memory,  略称:  RAM)等の揮発性メモリ(英文:  volatile  memory)を含んでもよく、又は、メモリは、例えば、読み取り専用メモリ(英文:  read-only  memory,  略称:  ROM) 、フラッシュメモリ(英文:  flash  memory)、ハードディスクドライブ(英文:  hard  disk  drive,  略称:  HDD)、又はソリッドステートドライブ(英文:  solid-state  drive,  略称:  SSD)等の不揮発性メモリ(英文:  non-volatile  memory)を含んでもよい。代替的に、メモリは、上記のタイプのメモリの組み合わせを含んでもよい。
【０１６５】
バスインターフェイスは、さらに、図11及び図13に含まれていてもよい。バスインターフェイスは、いずれかの数の相互接続バス及びブリッジを含んでもよく、具体的には、プロセッサによって代表される1つ又は複数のプロセッサ及びメモリによって代表されるメモリからなるさまざまな回路を互いにリンクさせてもよい。バスインターフェイスは、さらに、周辺機器デバイス、電圧レギュレータ、及び電力管理回路等のさまざまな他の回路を互いにリンクさせてもよい。このことは、この技術分野においては周知であり、したがって、本明細書においては、さらに説明されない。バスインターフェイスは、インターフェイスを提供する。
【０１６６】
この出願は、この出願の複数の実施態様にしたがった方法、デバイス(システム)、及びコンピュータプログラム製品の複数のフローチャート及び/又は複数のブロック図を参照して説明される。コンピュータプログラム命令は、それらの複数のフローチャート及び/又はそれらの複数のブロック図の中の各々のプロセス及び/又は各々のブロック、及び、それらの複数のフローチャート及び/又はそれらの複数のブロック図の中のプロセス及び/又はブロックの組み合わせを実装するのに使用されてもよいということを理解すべきである。これらのコンピュータプログラム命令は、汎用コンピュータ、専用コンピュータ、組み込み型プロセッサ、又は、いずれかの他のプログラム可能なデータ処理デバイスのプロセッサに提供されて、ある1つの機械を生成し、それによって、コンピュータ又はいずれかの他のプログラム可能なデータ処理デバイスのプロセッサが実行する命令は、ある装置を生成し、その装置は、それらの複数のフローチャートの中の1つ又は複数のプロセス及び/又はそれらの複数のブロック図の中の1つ又は複数のブロックのある特定の機能を実装する。
【０１６７】
これらのコンピュータプログラム命令は、コンピュータ読み取り可能なメモリの中に格納されていてもよく、そのコンピュータ読み取り可能なメモリは、ある特定の方式で動作するように、コンピュータ又はいずれかの他のプログラム可能なデータ処理デバイスに指示することが可能であり、それによって、コンピュータ読み取り可能なメモリの中に格納されている命令は、命令装置を含むある1つのアーティファクトを生成する。その命令装置は、それらの複数のフローチャートの中の1つ又は複数のプロセス及び/又はそれらの複数のブロック図の中の1つ又は複数のブロックのある特定の機能を実装する。
【０１６８】
当業者は、この出願の範囲から離れることなく、この出願にさまざまな修正及び変更を加えることが可能である。この出願は、それらの修正及び変更が以下の特許請求の範囲によって規定される保護の範囲に属している限り、それらの修正及び変更にも及ぶことを意図されている。
【国際調査報告】
2020507947.tif 000022
2020507947.tif 000023
2020507947.tif 000024
2020507947.tif 000025